(57)【要約】【課題】医療行為の利便性を向上させ得る医療支援システムを提供する。【解決手段】患者情報を共有して医療業務を支援する医療支援システム１であって、ネットワーク４０に接続され患者情報データベース３４を有するファイルサーバー３０と、ネットワークを介してファイルサーバーとの間で通信し入力されたオーダー情報をファイルサーバーに伝達するする情報端末装置１０，２０とを具備し、ファイルサーバーは、情報端末装置から伝達されたオーダー情報に基づいて対応する撮影条件情報を作成し、この撮影条件情報をオーダー情報と共に上記情報端末装置へ伝達する。【選択図】図１
2019109763.tif 000002
【特許請求の範囲】
【請求項１】
患者情報を共有して医療業務を支援する医療支援システムであって、
ネットワークに接続され患者情報データベースを有するファイルサーバーと、
上記ネットワークを介して上記ファイルサーバーとの間で通信し、入力されたオーダー情報を上記ファイルサーバーに伝達する情報端末装置と、
を具備し、
上記ファイルサーバーは、上記情報端末装置から伝達されたオーダー情報に基づいて、対応する撮影条件情報を作成し、この撮影条件情報を上記オーダー情報と共に上記情報端末装置へ伝達することを特徴とする医療支援システム。
【請求項２】
上記情報端末装置は、上記ファイルサーバーから伝達された上記撮影条件情報に基づく画像撮影を行って、取得した画像データを上記オーダー情報に関連付けて記録することを特徴とする請求項１に記載の医療支援システム。
【請求項３】
上記情報端末装置は、画像撮影により取得した上記画像データを上記ファイルサーバーへ転送することを特徴とする請求項２に記載の医療支援システム。
【請求項４】
上記ファイルサーバーは、
上記情報端末装置からの指示入力を受けてオーダー情報を作成するオーダー情報作成部と、
上記オーダー情報作成部により作成されたオーダー情報に基づいて、当該オーダー情報に応じた撮影条件情報を作成する撮影条件情報作成部と、
を有し、
上記オーダー情報作成部からのオーダー情報に基づいて、当該オーダー情報の対象とする患者の患者情報を上記患者情報データベースを参照し、上記対象患者の患者情報の中から過去のオーダー情報を検索し、今回のオーダー情報に類似する過去のオーダー情報があった場合には、その過去のオーダー情報に含まれる画像撮影に関する撮影条件情報を読み出して、上記撮影条件情報作成部に伝達し、これを受けて上記撮影条件情報作成部は、今回のオーダー情報に対応する新たな撮影条件情報を作成することを特徴とする請求項１又は請求項２に記載の医療支援システム。
【請求項５】
上記ファイルサーバーは、さらに、画像データベースを有し、
上記画像データベースは、上記情報端末装置によって取得された複数の画像データを蓄積保存することを特徴とする請求項１〜請求項３に記載の医療支援システム。
【請求項６】
上記画像データベースに蓄積された複数の画像データのそれぞれは、上記患者情報データベースに蓄積された複数の患者情報のうちの対応する患者情報に関連付けされていることを特徴とする請求項４に記載の医療支援システム。
【請求項７】
上記画像データベースは、所定の撮影対象毎に予め決められた撮影条件情報に基づいて撮影された複数のサンプル画像を、さらに蓄積保存しており、
上記撮影条件情報作成部は、上記画像データベースの上記複数のサンプル画像を参照し、上記オーダー情報作成部で作成されたオーダー情報に対応する撮影条件情報を作成することを特徴とする請求項４又は請求項５に記載の医療支援システム。
【請求項８】
画像データを取得する撮像部と、
ネットワークを介してファイルサーバーとの間で通信し、入力されたオーダー情報を上記ファイルサーバーに伝達する通信部と、
上記オーダー情報に基づいて作成された撮影条件情報を上記ファイルサーバーから受け取り、上記撮影条件情報に従って画像撮影を行い、取得した画像データに上記オーダー情報を関連付ける撮像制御部と、
を具備することを特徴とする情報端末装置。
【請求項９】
上記撮像制御部は、上記取得した画像データを上記ファイルサーバーへ転送することを特徴とする請求項８に記載の情報端末装置。
【請求項１０】
画像データに基く画像及び各種の設定情報の表示を行う表示部を、さらに具備し、
上記撮像制御部は、上記撮影条件情報に従って行う画像撮影時に、上記撮影条件情報を満たすことができない場合には、その旨のガイド情報若しくは警告情報を上記表示部に表示することを特徴とする請求項８に記載の情報端末装置。
【請求項１１】
上記撮影条件情報を満たすことができない場合とは、上記オーダー情報に対応する撮影条件情報に基づく撮影ができない場合であることを特徴とする請求項９に記載の情報端末装置。
【請求項１２】
上記撮影条件情報を満たすことができない場合とは、診療管理情報との整合性がとれない場合であることを特徴とする請求項９に記載の情報端末装置。
【請求項１３】
上記撮影条件情報を満たすことができるか否かの判定は、
撮影対象人物や撮影対象部位が異なる場合、
想定していた機材やアクセサリが使用されない場合、
指定の構図がとれない場合、
撮影パラメータが設定できない場合、
露光量不足の場合、
適切なピント合わせができない場合、
手ぶれが生じた場合、
撮影の順番が規定された順番ではない場合、
指定の撮影枚数に過不足が生じた場合、
などを想定し、各条件に対応する撮影結果について数値化し、その数値を所定の判断基準と対比させて判定することを特徴とする請求項９に記載の情報端末装置。
【請求項１４】
上記撮影条件情報を満たすことができるか否かの判定は、
音声やその他意思表示入力による患者確認の良否、撮影者情報が含まれているかどうかについて判定基準とすることを特徴とする請求項９に記載の情報端末装置。
【請求項１５】
上記撮影条件情報を満たすことができるか否かの判定は、
上記オーダー情報に基づく撮影を実行する前、若しくは上記オーダー情報に基づく撮影を実行した後に行うことを特徴とする請求項９に記載の情報端末装置。
【請求項１６】
患者情報を共有して医療業務を支援する医療支援システムにおける患者情報に含まれる患者画像データ取得方法であって、
医師のオーダーを受けてオーダー情報を作成し、
上記オーダー情報に応じた撮影条件情報を作成し、
上記撮影条件情報を情報端末装置に伝達し、
上記撮影条件情報を受けて上記情報端末装置は対応する画像データを取得することを特徴とする患者画像データ取得方法。
【発明の詳細な説明】
【技術分野】
【０００１】
この発明は、患者情報を共有して医療業務を支援する医療支援システムと、この医療支援システムに適用され患者情報のうちの画像データを取り扱う情報端末装置、患者情報としての画像データを取得する患者画像データ取得方法に関するものである。
【背景技術】
【０００２】
近年、各種の情報を手軽に取り扱うことができ、かつ通信機能を備え、小型で携帯し得る形態の情報端末装置が一般に普及している。
【０００３】
この種の情報端末装置は、他の同種の情報端末装置との間で直接相互通信を行って各種の情報交換を行うことができると共に、ネットワークを介して遠隔地にあるファイルサーバー等にアクセスして当該ファイルサーバーとの間で各種の情報の伝達（送受）を行うことができるように構成されている。
【０００４】
そこで、従来においては、これら複数の情報端末装置と、各種の情報を蓄積したファイルサーバーとを、既存の若しくは専用のネットワークを介して相互に接続する情報通信技術（ＩＣＴ；Information and Communication Technology）を利用することで、さまざまな情報を取り扱い共有するように構成したネットワークシステムが、各種の分野において一般に実用化され急速に普及しつつある。
【０００５】
この種のネットワークシステムとしては、例えば、医療現場等において、医療従事者等（例えば医師，看護師，各種専門技師，介護福祉士等、医療関係の各種の有資格者等）が情報端末装置を用いて、外部ネットワーク若しくは内部ネットワークを介して病院等の医療拠点に設置されたファイルサーバーにアクセスし、当該ファイルサーバーとの間で相互通信を行うことにより、医療関連情報（例えば電子カルテ情報や患者情報等）を共有し得るように構築された医療支援システム（例えば病院情報システム（ＨＩＳ；Hospital Information System等）がある。
【０００６】
従来、この種の医療支援システムとしては、例えば特開２００６−１９５６６９号公報等によって、種々の提案が開示されている。
【０００７】
上記特開２００６−１９５６６９号公報等によって開示されている医療支援システムは、医療施設内及び医療施設外で使用され、音声通話機能やデータ通信機能，個人認証機能等の各種機能を備えた情報端末装置を用いて、電子カルテ管理やオーダー管理，業務スケジュール管理等を行うというものである。
【０００８】
一方、この種の医療支援システムは、例えば通院困難な患者のためのオンライン診療や訪問医療，訪問介護等の医療向けサービスに利用することが考えられている。この場合には、例えば、当該医療支援システムを利用することによって、自力での移動が困難な患者や、病院等の医療拠点から遠隔地に居住している患者等が、病院等の医療拠点に出向くことなく、医師による診療や医療相談等を容易に受けることができるようになる。
【０００９】
また、看護師や介護福祉士等の医療従事者が患者を訪問して、若しくは患者の家族や近親者等の介護者等が患者の自宅で、所定の情報端末装置を用いて患者情報としての画像情報等を取得し、こうして取得された患者情報（画像情報等）を病院等の医療拠点に設置されたファイルサーバーに伝達して蓄積し、この患者情報（画像情報）を当該患者の担当医師（いわゆる主治医）と共有できれば、当該医師は往診をすることなく、患者の経過観察や現在状況を画像を参照することで把握することができるといった利便性が考えられる。
【先行技術文献】
【特許文献】
【００１０】
【特許文献１】特開２００６−１９５６６９号公報
【発明の概要】
【発明が解決しようとする課題】
【００１１】
ところが、上記特開２００６−１９５６６９号公報等によって開示される医療支援システムは、医療従事者が患者情報等を病院等の医療拠点において一括して管理するためのものであって、医療従事者以外が利用することは考慮されていない。
【００１２】
また、当該特開２００６−１９５６６９号公報等による従来の医療支援システムは、患者情報としての医療画像を取り扱うことについては何ら考慮されていない。
【００１３】
一般に、患者情報として正式に認められる医療用画像としては、医師のオーダー（依頼又は指示等）を受けて所定の医療関係の有資格者が規定の設定やフォーマットに基づいて取得した画像情報のみが承認されることが前提となる。
【００１４】
したがって、所定の医療関係の資格を有しない人物（例えば患者の家族や近親者等の介護者等；非医療従事者）が、私有する撮像装置や情報端末装置等を用いて取得した患者の画像は、正式な医療用画像として扱うことができないのが普通である。
【００１５】
しかしながら、近年、高解像度の画像を気軽に取得することができる撮像機能を有すると共に、通信機能を具備し、携帯に適した小型の情報端末装置、具体的には例えばスマートフォンやタブレット型ＰＣ等が、一般に広く普及しており、誰もがいつでも高解像度の画像を取得することができ、その取得した画像を容易に、同様の情報端末装置を所持する他者との間で共有することができる環境が整っている。
【００１６】
そこで、一般に普及している情報端末装置（例えば通信機能付きの撮像装置（カメラ）や撮像機能付きの通信装置（スマートフォン，タブレット型ＰＣ等））を用いて、医療従事者のみに限らず医療従事者以外の人物（患者の家族や近親者等の介護者；非医療従事者）によって取得された画像を、患者情報としての医療用画像若しくは医療用参照画像として取り扱うことができるようになれば至便である。
【００１７】
本発明は、上述した点に鑑みてなされたものであって、その目的とするところは、医療従事者が取得した患者情報としての画像情報のみならず、医療従事者以外の一般の人物（非医療従事者）が取得した画像情報をも患者情報としての医療用画像若しくは医療用参照画像として取り扱うことができ、医療行為の利便性を向上させ得る医療支援システムと、これに適用する情報端末装置と、当該医療支援システムにおける患者画像データ取得方法、こうした環境下で有効な画像ファイル形式を提供することである。
【課題を解決するための手段】
【００１８】
上記目的を達成するために、本発明の一態様の医療支援システムは、患者情報を共有して医療業務を支援する医療支援システムであって、ネットワークに接続され患者情報データベースを有するファイルサーバーと、上記ネットワークを介して上記ファイルサーバーとの間で通信し、入力されたオーダー情報を上記ファイルサーバーに伝達する情報端末装置と、を具備し、上記ファイルサーバーは、上記情報端末装置から伝達されたオーダー情報に基づいて、対応する撮影条件情報を作成し、この撮影条件情報を上記オーダー情報と共に上記情報端末装置へ伝達する。
【００１９】
本発明の一態様の情報端末装置は、画像データを取得する撮像部と、ネットワークを介してファイルサーバーとの間で通信し、入力されたオーダー情報を上記ファイルサーバーに伝達する通信部と、上記オーダー情報に基づいて作成された撮影条件情報を上記ファイルサーバーから受け取り、上記撮影条件情報に従って画像撮影を行い、取得した画像データに上記オーダー情報を関連付ける撮像制御部と、を具備する。
【００２０】
本発明の一態様の患者画像データ取得方法は、患者情報を共有して医療業務を支援する医療支援システムにおける患者情報に含まれる患者画像データ取得方法であって、医師のオーダーを受けてオーダー情報を作成し、上記オーダー情報に応じた撮影条件情報を作成し、上記撮影条件情報を情報端末装置に伝達し、上記撮影条件情報を受けて上記情報端末装置は対応する画像データを取得する。
【発明の効果】
【００２１】
本発明によれば、医療従事者が取得した患者情報としての画像情報のみならず、医療従事者以外の一般の人物（非医療従事者）が取得した画像情報をも患者情報としての医療用画像若しくは医療用参照画像として取り扱うことができ、医療行為の利便性を向上させ得る医療支援システムと、これに適用する情報端末装置と、当該医療支援システムにおける患者画像データ取得方法、こうした環境下で有効な画像ファイル形式を提供することができる。
【図面の簡単な説明】
【００２２】
【図１】本発明の一実施形態の医療支援システムの概要構成を示す概念図
【図２】本発明の一実施形態の医療支援システムの作用の概略を各使用状況に応じて示す概念図（第１パターンの説明図）
【図３】本発明の一実施形態の医療支援システムの作用の概略を各使用状況に応じて示す概念図（第１パターンの説明図）
【図４】本発明の一実施形態の医療支援システムの作用の概略を各使用状況に応じて示す概念図（第２パターンの説明図）
【図５】本発明の一実施形態の医療支援システムの作用の概略を各使用状況に応じて示す概念図（第２，第３パターンの説明図）
【図６】本発明の一実施形態の医療支援システムの作用において、第１〜第３パターンの後の使用状況の説明図
【図７】本発明の一実施形態の医療支援システムの作用において、第１〜第３パターンの後の使用状況の説明図
【図８】本発明の一実施形態の医療支援システムにおける情報端末装置の主要構成を示すブロック構成図
【図９】本発明の一実施形態の医療支援システムにおけるファイルサーバーの主要構成を示すブロック構成図
【図１０】本発明の一実施形態の医療支援システムにおける情報端末装置のうち第２端末の作用の一部を示すフローチャート
【図１１】本発明の一実施形態の医療支援システムにおける情報端末装置のうち第２端末の作用の他の一部を示すフローチャート
【図１２】本発明の一実施形態の医療支援システムにおける情報端末装置のうち医師が使用する第１端末の作用を示すフローチャート
【図１３】本発明の一実施形態の医療支援システムにおけるファイルサーバーの作用を示すフローチャート
【発明を実施するための形態】
【００２３】
以下、図示の実施の形態によって本発明を説明する。以下の説明に用いる各図面は模式的に示すものであり、各構成要素を図面上で認識できる程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２４】
［一実施形態］
本発明の一実施形態の医療支援システムは、医療現場などにおいて利用されるネットワークシステムであって、患者の医療用画像又は医療用参照画像等を含む患者情報等を共有して医療業務を支援するネットワークシステムの一例である。
【００２５】
ここで、医療用画像とは、医師のオーダー（依頼又は指示等）を受けて、所定の医療従事者等が規定の設定やフォーマットに基づいて取得した画像として正式に承認される画像情報をいうものとする。
【００２６】
また、医療従事者等とは、例えば医師，看護師，各種専門技師，介護福祉士等を含めた医療関係の各種の有資格者（いわゆる医療スタッフ）を指すものとする。
【００２７】
したがって、医療用画像は、医師自身が自身のオーダー（診療方針等）に従って所定の医療機器（例えば医療用内視鏡装置，医療用超音波検査装置等各種の撮像装置等）を用いて取得した画像（例えば内視鏡画像，超音波検査画像，撮像画像等）のほか、医師のオーダーを受けて医師以外の医療従事者（所定の医療関係の有資格である専門技師等（例えば内視鏡技師，超音波検査技師，診療放射線技師等））が取得した画像に類するものを指すものとする。
【００２８】
また、医療用参照画像とは、医師，専門技師等以外の医療従事者（特定の専門資格を有しない医療スタッフ（例えば介護福祉士等）又は医療従事者以外の一般の人物（例えば患者の家族や近親者等の介護者等の非医療従事者；以下、患者家族というものとする）が取得した画像情報をいうものとする。この場合において、当該医療用参照画像は、医師のオーダー（依頼又は指示等）に対応して設定される規定の撮影条件情報や、所定の設定，フォーマットに準じて取得された画像であるものとする。そして、この医療用参照画像は、正式な医療用画像として承認されるものではないが、医師が行う医療行為の参照用画像として医師が認める画像情報となり得るものとする。
【００２９】
なお、医師のオーダー（依頼又は指示等）とは、例えば次に示すようなものである。
【００３０】
即ち、通常の場合、医師は、治療，診療，検査等の対象とする患者（以下、対象患者というものとする）の診察を行った後などには院内端末（例えば病院等の診察室等に設置されたＰＣ等の内部端末装置）を用いて、内部ネットワーク（院内ネットワーク）を介して当該病院等の医療拠点に設置されたファイルサーバーにアクセスし、当該ファイルサーバーに蓄積された電子カルテデータベースの中の対象患者の電子カルテファイルに対して、本日の診察記録等を行う。
【００３１】
その際に、当該医師は合わせて、次の検査等の指示を出すことがある。そのために、医師は、当該院内端末を用いて所定のオーダー画面を開き、このオーダー画面から所望する検査等に対応するオーダー情報を作成する。
【００３２】
このオーダー情報は、例えば、複数の撮影種別（例えばＸ線撮影，ＣＴ，ＭＲＩ，内視鏡検査，超音波検査，一般撮影など）の中から所望の撮影項目を選択したり、所望の撮影部位（例えば、胸部，腹部，頭部，肘関節等）を選択指示するほか、さらに、例えば、左膝の正面と側面等といった具体的な撮影指示を行う。またさらに必要に応じて細かな指示がある場合には、例えばコメント欄等に詳細指示を記載する。
【００３３】
ここで、詳細指示の一例としては、次のようなものである。
【００３４】
医師のオーダーとして、例えば、所定の対象患者の「患部の傷口の経過を観察する画像を撮影するオーダー」である場合の詳細指示として、
（１）マクロモード（撮影倍率１：２）で撮影する、
（２）肌の色を判断したいために所定の色票（カラーチャート）を入れて撮影する、
などがある。
【００３５】
また、静止画像の撮影指示のみではなく、例えば動画像の撮影指示、音声を含む静止画像又は動画像の撮影指示等も考えられる。
【００３６】
このようして作成されたオーダー情報は、対象患者の患者情報に関連付けされた上で、検査を取り扱う対応部署の医療従事者等が使用する端末装置へ転送される。
【００３７】
ここで、医療現場におけるオーダー情報は、「いつ」「どこで」「誰が」「誰に対して」「どの様な装置で」「どの様な検査を」行うのか等からなる情報である。
【００３８】
即ち、「誰が」は、院内では、診療部門や検査担当者などが相当するが、本発明では情報端末装置等で患者画像を撮影するユーザとなる。
【００３９】
「誰に対して」は、カルテに書かれているような各種情報、例えば生年月日や性別，血液型等の患者基本属性情報や患者ＩＤ等である。こうしたものは、院内システムや医師等から発行してもらうものであるが、個人情報の取り扱い等を留意すると、オーダー情報に含める情報は、必要な項目だけで良い。
【００４０】
「どの様な装置で」は、ＣＴ，ＭＲＩ，内視鏡，撮像装置（カメラ）等が相当する。
【００４１】
「どの様な検査を」は、患者の部位（胸や足など）に対して、どの様な放射線強度等で何枚写真を撮影するのか等の情報である。本発明においては、情報端末装置を用いて画像を撮影するときの構図や距離，焦点距離，撮影倍率，露出，ピント，絞り等の撮影パラメータや画質や画像サイズやファイルフォーマットなどが相当する。さらに、撮影枚数等や撮影パラメータの設定等を含めてもよい。なお、これらの情報は、「どのような装置で」の情報に含めてもよい。
【００４２】
このようにオーダー情報には様々な情報が含まれるが、オーダーを一覧としてまとめたオーダリングリスト情報等に従って、検査や処置を実施できるように、表示等を出しながら撮影を促し、当該リストに従って順番に撮影していくといった撮影手順等を含めてもよい。この場合、撮り忘れや効率性の点でメリットがある。
【００４３】
このような効果の点からすると、これらの情報（患者基本属性情報等）は、「管理用付帯情報」，「診療用付帯情報」，「診療管理情報」等と呼んでも良い。
【００４４】
例えば、同じ患者であっても、病気や怪我等の症状毎に異なる（スタディが異なる）場合があり、その都度、異なる状況の検査（撮影を含む対応）が期待される場合がある。したがって、これらを区別できるようにすることも必要である。例えば、年度毎に健診を行う場合、各年度毎に異なるスタディ情報として取り扱うことが考えられる。
【００４５】
なお、撮影の方法については、状況に応じての変更はもちろん可能で、その場合、オーダーに対して実施結果が同じではない様な場合には、実施情報を画像のタグ情報として付加すればよい。
【００４６】
以下に説明する実施形態においては、上記説明したような情報を一括してオーダー情報として説明しているが、その全てが必須ではなく、その一部の情報のみを対象にしてもよい。
【００４７】
なお、医療施設外では訪問医療あるいは在宅医療がユースケースとしては主となる。その場合、在宅患者を撮影するといった行為がなされる。在宅医療の支援のために、医療機器が十分に揃えることができない環境下においては、専用の医療機器ではない一般のコンシューマ製品であるカメラやスマートフォン附属の撮像機能等を用いて画像の撮影を行う時に、こうした情報を利用することができることは重要である。したがって、看護師や医師等の医療従事者がオーダー受信者として信号を受信した装置を使って、患者への往診，訪問により撮影を行うような状況を想定してもよい。
【００４８】
このようにして医師により作成されるオーダー情報は、医療行為的な複数の指示をまとめた情報群である。
【００４９】
本発明の一実施形態の医療支援システムについての概念を、図１を用いて以下に説明する。図１は、本発明の一実施形態の医療支援システムの概要構成を示す概念図である。
【００５０】
本実施形態の医療支援システム１は、図１に示すように、複数の情報端末装置１０，２０と、ファイルサーバー３０と、これらを相互に接続すべく設けられるネットワーク４０等によって主に構成されている。
【００５１】
この場合において、複数の情報端末装置１０，２０は、それぞれが相互に直接通信が可能であると共に、それぞれはネットワーク４０を介してファイルサーバー３０との間で通信が可能である。
【００５２】
複数の情報端末装置１０，２０同士の直接通信手段としては、例えば、既存の近距離無線通信手段等が適用される。
【００５３】
また、複数の情報端末装置１０，２０とファイルサーバー３０との間の通信は、例えば、内部ネットワーク（無線ＬＡＮ又は有線ＬＡＮ）経由で接続されるインターネット等の外部ネットワークを介して行われる既存の一般的な通信手段が適用される。
【００５４】
複数の情報端末装置１０，２０は、それぞれが画像情報を取得することができる撮像機能を備えていると共に、各情報端末装置同士の直接通信機能のほか、ネットワーク４０を介した通信機能を具備し、小型でかつ携帯可能に構成される電子機器である。
【００５５】
この複数の情報端末装置１０，２０の具体的な形態としては、例えば通信機能付きの撮像装置（カメラ）や、撮像機能付きの通信装置であるスマートフォンやタブレット型ＰＣ等を想定している。
【００５６】
図１に示す例では、複数の情報端末装置１０，２０のうち、符号１０で示す情報端末装置を、医師１００が使用する情報端末装置としている。以下の説明において、これを第１端末１０と表記するものとする。また、図１において、第１端末１０は、例えばタブレット型ＰＣの形態として図示している。
【００５７】
一方、複数の情報端末装置１０，２０のうち、符号２０で示す情報端末装置を、医師１００以外の人物１２０（例えば患者家族）が使用する情報端末装置としている。以下の説明において、これを第２端末２０と表記するものとする。また、図１において、第２端末２０は、例えば一般的な撮像装置であるカメラの形態として図示している。
【００５８】
ここで、複数の情報端末装置１０，２０は、タブレットＰＣ形態であっても、カメラ形態であっても、また、他の形態、例えばスマートフォン形態であってもよく、いずれの形態であっても、基本的には同様の機能を有しているものとする。
【００５９】
つまり、本実施形態の医療支援システム１に適用し得る情報端末装置（１０，２０）は、少なくとも撮像機能及び通信機能を備えているものであれば、装置の形態に限られることなく同様に適用することができるものである。したがって、図１に図示される各情報端末装置１０，２０の形態は、単なる一つの例示である。
【００６０】
このように構成される本実施形態の医療支援システム１の作用の概略は、次に示すようなものである。
【００６１】
図２〜図７は、本実施形態の医療支援システムの作用の概略を、各使用状況に応じて示す概念図である。このうち、図２，図３は、本実施形態の医療支援システムの作用の第１パターンを説明する概念図である。図４，図５は、本実施形態の医療支援システムの作用の第２パターンを説明する概念図である。なお、図５は、本実施形態の医療支援システムの作用の第３パターンを説明する概念図を兼ねている。図６，図７は、上記第１〜第３パターンで説明した各使用状況によって医師から医療用参照画像のサンプル画像（基準画像）を受け取った後の使用状況を説明する概念図である。
【００６２】
本実施形態の医療支援システム１の作用を、具体的な使用状況（使用パターン）毎に、簡単に説明する。
【００６３】
まず、本実施形態の医療支援システム１の使用状況における第１パターンは、以下の通りである（図２，図３参照）。
【００６４】
即ち、図２に示す状況は、ある患者の主治医である医師１００が、自分の所属している病院等の医療拠点の診察室に、対象患者の患者家族１２０が訪れている状況（いわゆる代理診察の状況）を示している。
【００６５】
ここで、患者本人ではなく、患者家族１２０が代理で病院等を訪れているのは、例えば、患者本人が自力で移動が困難であったり、病院等から遠隔地に居住している等の理由によって、通院することが困難な状況にある、といったことを想定している。
【００６６】
このとき、患者家族１２０は、ここには来て居ない患者本人を自宅で撮影した画像情報（画像データ）が複数記録された情報端末装置である第２端末２０（カメラ）を持参している。
【００６７】
患者家族１２０は、この第２端末２０に記録された複数の画像情報（図２の符号２０ａで示す画像一覧表示）を医師１００に見せる。
【００６８】
医師１００は、患者家族１２０が持参した第２端末２０に記録されている複数画像の中から患者情報としての医療用参照画像として適用可能と思われる画像を選択する（図２の符号２０ｂで示す太枠線内画像）。
【００６９】
ここで、医師１００は、当該選択画像２０ｂを、医療用参照画像として承認すると共に、同選択画像２０ｂを今後の医療用参照画像のサンプル画像（基準画像）として採用する作業を行うものとする。
【００７０】
即ち、この時点（患者家族１２０が第２端末２０の画像を医師１００に見せているだけの状況下）においては、当該選択画像２０ｂは、患者家族１２０が私有する第２端末２０によって私的に取得された単なる一般画像である。
【００７１】
このような一般画像を、医療用参照画像とするためには、医師１００は、所定の医療情報を当該選択画像２０ｂの画像ファイルにメタデータとして付与することで、これを医療用参照画像として承認を与える。以下の説明では、そのための承認作業の手順の一例を簡単に説明している。
【００７２】
なお、本実施形態の医療支援システム１において扱われる画像データファイルは、従来一般的な画像データファイル（例えばExif（Exchangeable image file format）データ等）に含まれるメタデータとは別に、例えば医療的な情報を含む所定のメタデータを有するものとし、これを、特に医療メタデータというものとする。なお、この医療メタデータは、従来一般のメタデータに対して別ファイルの形態で存在する構成でもよいし、一体に構成される形態であってもよい。しかし、いずれの形態を採るにしても、画像データと医療メタデータとは関連付けられていることが重要である。画像データと医療メタデータとが関連付けられていることにより、それぞれが単独データファイルで存在していたとしても、画像データに対する操作（例えば他の媒体への移動，複写若しくは削除操作）の際には、必ず関連付けされたメタデータを伴って所定の操作がなされることになる。したがって、例えば、医療メタデータのみが単独で存在するようなことはないようにされている。
【００７３】
この医療メタデータを、所定の画像データファイルに対して付与するには、まず、医師１００は、当該選択画像２０ｂを患者家族１２０の第２端末２０から医師１００の第１端末１０に転送してもらう（図３参照）。
【００７４】
これを受けて、医師１００は、図３に示すように、受信した選択画像２０ｂに対して第１端末１０を用いて所定の医療メタデータを付与する作業を行う。
【００７５】
ここで、図３の符号１０ａは、第１端末１０の表示画面の一例を示している。ここで、図３の符号１０ｂは、第１端末１０に転送された後の選択画像２０ｂの表示枠を示している。図３の符号１０ｃは、医師が当該選択画像２０ｂに対して付加する医療メタデータの詳細表示欄を示している。
【００７６】
医師１００は、第１端末１０に対して所定の操作を行って、表示欄１０ｃに所望の情報を入力する。
【００７７】
なお、当該選択画像２０ｂに付加される医療メタデータは、上述のようにして、医師１００が入力するほかに、当該選択画像２０ｂに既に付与されている既存のメタデータと重複する項目、例えば撮影時点の日時情報，撮影機器情報（カメラ固有の情報等）等は、自動的に付加されて当該表示欄１０ｃに自動的に表示される。
【００７８】
また、当該医師１００が、第１端末１０を用いて、今回の対象患者に関する画像情報を含む患者情報を取り扱うことは初めてのことではなく、過去にも利用実績がある場合には、当該第１端末１０には、既に対象患者の患者情報が存在しているはずである。
【００７９】
したがって、上述のようにして、第２端末２０から患者画像（選択画像２０ｂ）が転送されてきた時、例えば、当該選択画像２０ｂの画像データに対して顔検出処理を施したり、当該選択画像２０ｂのメタデータをすれば、対応する患者情報（例えば患者ＩＤ等）を自動的に検出することができる。したがって、第１端末１０は、検出された患者情報を利用して所望の情報を自動的に、選択画像２０ｂの医療メタデータとして組み入れることができる。
【００８０】
このようにして、当該選択画像２０ｂに所定の医療メタデータが付与されることによって、当該選択画像２０ｂは、医師１００による医療用参照画像としての承認がなされる。
【００８１】
このような作業を終えると、医師１００は、当該医療メタデータ付きの選択画像２０ｂを第２端末２０へと送り返す。
【００８２】
これを受けて、第２端末２０は、元の選択画像２０ｂの画像ファイルが残るように、医療メタデータ付きの選択画像２０ｂを別名で保存する。もちろん、この場合の保存敬愛としては、上書き保存とする設定であってもよい。
【００８３】
また、このとき同時に、第１端末１０は、当該医療メタデータ付きの選択画像２０ｂをファイルサーバー３０（図２，図３には不図示；図１参照）へ転送してもよい。
【００８４】
なお、この場合において、第１端末１０によって選択画像２０ｂに付与される医療メタデータとしては、例えば、患者ＩＤ（Patient ID；患者固有識別情報），主治医名等を含む担当医師や医療機関に関する情報，医療用参照画像としての承認情報等，治療スケジュール情報等がある。このほか、医療メタデータには、選択画像２０ｂに類似する画像を取得するための各種の撮影条件情報（撮影毎に毎回均等な類似の画像が撮影できるようにするための各種の撮影パラメータ等の設定情報等）やサンプル画像のサムネイル画像等がある。なお、上記撮影条件情報としては、例えば、露出情報，ホワイトバランス情報，感度情報，光学系焦点距離情報，被写体までの距離情報，撮影倍率情報，アングル情報等、各種の撮像関連情報等が含まれる。
【００８５】
医療メタデータには、これらに加えてさらに、従来一般的な画像ファイルとして利用されているExif画像データ等に含まれる各種情報（例えば、撮影場所（GPS情報），日時情報，撮影条件情報等）を含めてもよい。
【００８６】
上記の説明では、撮影に関連する各種の情報（撮影条件情報）を、医療メタデータに含めるように説明しているが、これに限らず、当該撮影条件情報については、画像データファイルとは別個のデータファイルとして作成するようにしてもよい。そして、その撮影条件情報のデータファイルは、対応する画像データファイルに関連付けて記録されているものとする。そして、画像データが第２端末２０へと転送される際には、当該画像データとともに関連する撮影条件情報データファイルも共に第２端末２０へと転送されるようにする。
【００８７】
このようにして、第２端末２０には、医師１００によって医療用参照画像として承認された選択画像２０ｂが記録される。患者家族１２０は、以後、当該第２端末２０を用いて自宅等で対象患者を定期的に撮影する。なお、このような状況で定期的に撮影された画像は、例えば見守り画像というものとする。この見守り画像は、患者家族１２０が第２端末２０を使用して対象患者の撮影を行う行為によって得られるものであるが、このとき、患者家族１２０は、特に医療用参照画像を撮影することについて意識せずに、通常の撮影を行えばよい。
【００８８】
第２端末２０においては、顔認識技術等を用いることで対象患者を撮影対象としていることを検出することができる。したがって、第２端末２０は、対象患者が検出されると、医師の承認を受けた医療用参照画像（選択画像２０ｂ）に付随する撮影条件情報を参照して、新たな医療用参照画像を取得するための撮影動作モード（以下、見守り画像撮影モードというものとする）に対応する撮影パラメータ（露出設定，ホワイトバランス設定，感度設定，焦点距離設定等）を自動設定する。さらに、このとき、構図や撮影アングル，被写体までの距離等の撮影条件情報のガイド表示（アシスト表示）が、表示部に自動的に現れるようにする（例えばライブビュー画像に重畳表示される等）。
【００８９】
こうして取得された新たな画像データには、上記医師の承認を受けた医療用参照画像（選択画像２０ｂ）に付随する医療メタデータに対応するメタデータが付与されて、新たな医療用参照画像として、若しくはその候補画像として記録される。
【００９０】
これにより、患者家族１２０は、第２端末２０を用いて、医師１００のオーダーに準じた新たな医療用参照画像を容易に取得することができることになる。
【００９１】
また、上述の例では、撮影毎に顔認識による対象患者の検出を行っていたが、これとは別に、次のような撮影形態としてもよい。
【００９２】
例えば、患者家族１２０は、第２端末２０を用いて通常撮影を日常的に行う。このとき、対象患者が必ずしも写り込まない場合は多々ある。
【００９３】
そこで、第２端末２０を用いた通常撮影により取得された複数の画像に対して、所定のタイミングで使用者（ユーザ）が任意に若しくは自動的に、顔検出処理を行って、対象患者を含む画像を検出するようにしてもよい。
【００９４】
そうして、対象患者を含む画像の中から、上記医師の承認を受けた医療用参照画像（選択画像２０ｂ）に類似する画像データがあれば、その類似画像に対して所定の医療メタデータを付与し、新たな医療用参照画像、若しくはその候補画像として記録するようにしてもよい。
【００９５】
こうして、第２端末２０によって、新たな医療用参照画像として複数の画像データが取得される。そして、患者家族１２０は、例えば、次の病院等の訪問時（代理診察時）等に第２端末２０を病院等に持参すると、これら複数の画像データ（医療メタデータ付きのもののみ）が、第２端末２０から病院等の医療拠点に設置されたファイルサーバー３０へと自動的に転送される。若しくは、医師１００が、第２端末２０を閲覧して、手動操作等を行って選択的にファイルサーバー３０への転送を行うようにしてもよい。
【００９６】
なお、上述の説明では、医療従事者以外の人物として患者家族を例に挙げて説明しているが、このような例に限らず、例えば、医師の往診若しくは訪問介護等の状況を適用してもよい。その場合には、第２端末２０を操作する人物として、患者の自宅を訪問する看護師，介護福祉士等が対応する。
【００９７】
このようにして、医師以外の医療従事者や、医療従事者以外の患者家族等が取得した患者画像データを、医師が承認し得る医療用参照画像として取り扱うようにすることができる。
【００９８】
本実施形態の医療支援システム１の使用状況における第１パターンの概略は、以上である。
【００９９】
次に、本実施形態の医療支援システム１の使用状況における第２パターンは、以下の通りである（図４，図５参照）。
【０１００】
即ち、図４に示す状況は、患者１１０の主治医である医師１００が、自分の所属している病院等（医療拠点）の診察室に、対象患者１１０と、この患者１１０に同伴する患者家族１２０が訪れている状況を示している。
【０１０１】
ここで、患者本人は、自力での移動が若干困難であり、また、病院等から遠隔地に居住している等の理由によって、頻繁に通院することが困難な状況にあり、そのために、家族同伴にて通院している状況であるものとする。
【０１０２】
なお、ここでは、患者本人が病院へ通院している状況としたが、これに限らず、例えば医師が患者自宅への往診時の状況としても同様である。
【０１０３】
このとき患者家族１２０は、画像情報（画像データ）を取得可能な情報端末装置である第２端末２０（カメラ）を持参しているものとする。
【０１０４】
この状況下で、医師１００は、まず、第１端末１０を用いて患者１１０の画像を、医療用画像として利用できるように、所定の設定，フォーマットに準じて撮影する。
【０１０５】
図４に示す例では、患者の顔画像を含む上半身を撮影対象とした場合を示している。図４の点線１０ｘは、患者１１０を撮影対象としたときの撮影範囲の概略を概念的に示している。
【０１０６】
このとき、医師１００は、患者情報としての医療用画像として適用し得る画像を撮影するものとする。このようにして撮影した対象患者の画像（以下、患者画像という）は、今後の医療用参照画像のサンプル画像（基準画像）として、患者家族１２０に提供されるものとする。
【０１０７】
そのために、まず、医師１００は、第１端末１０を用いて撮影した患者画像について、所定の医療メタデータの付与操作や医療用画像としての承認操作等を、当該第１端末１０を用いて行う（図５参照）。
【０１０８】
ここで、図５は第１端末１０によって取得された患者画像１０ｄを表示している状況を示している。図５の符号１０ａは、第１端末１０の表示画面を示している。図５の符号１０ｂは、第１端末１０にて取得された患者画像１０ｄの表示枠を示している。図５の符号１０ｃは、付加する医療メタデータの表示欄である。なお、上記医療メタデータの詳細は、上述の第１パターン時に例示したものと同様である。
【０１０９】
当該患者画像１０ｄに対する医療メタデータや医療用画像の承認情報の付与は、撮影時に自動的に行われるようにしてもよい。当該患者画像１０ｄは、医師１００自身が、自分専用の第１端末１０を用いて撮影したものである。当該医師１００が当該第１端末１０を用いて、今回の対象患者の画像を含む患者情報を以前にも扱った実績があれば、当該対象患者の患者情報が第１端末１０に存在しているはずである。したがって、上述のように、第１端末１０を用いて患者の撮影を行った時点で、例えば、顔検出処理等により対応する患者情報（例えば患者ＩＤ等）を自動的に検出し、その患者情報を利用して所望の情報を自動的に医療メタデータに組み入れることができる。また、当該第１端末１０は、医師１００が専用に利用しているものであるので、必然的に医療用画像として承認され得る。
【０１１０】
このようにして、当該患者画像１０ｄには、所定の医療メタデータが付与されて、医師１００による医療用画像としての承認がなされる。この作業を終えたら、医師１００は、当該医療メタデータ付きの患者画像１０ｄを、患者家族１２０の第２端末２０へと転送する。このとき、上述の第１パターンの状況時と同様に、撮影条件情報等も共に転送される。
【０１１１】
こうして、第２端末２０には、医師１００によって承認された医療用画像としての患者画像１０ｄが記録される。患者家族１２０は、以後、当該第２端末２０を用いて自宅等において患者を撮影する（見守り画像撮影）。以降の作用は、上述の第１パターンの使用状況時と同様である。
【０１１２】
なお、患者家族１２０が第２端末２０を用いて、上記医師の承認した医療用画像に準じて新たに取得した患者画像は、患者家族１２０が撮影するものであるから、医療用参照画像としての医療メタデータが付与される。
【０１１３】
本実施形態の医療支援システム１の使用状況における第２パターンの概略は、以上である。
【０１１４】
上述の使用状況第２パターンでは、医師１００が第１端末１０を用いて撮影した患者画像を医療用画像とし、これをサンプル画像として、医療メタデータを付した後に、第２端末２０へ転送するようにしていたが、この形態に限られることはない。
【０１１５】
例えば、使用状況の第３パターンとして、次のような状況が考えられる（図５参照）。
【０１１６】
即ち、まず、病院等の医療拠点においては、各種の症状，患部等に応じた複数のサンプル画像のデータベースを構築しており、これをファイルサーバー３０の中に予め用意してあるものとする。
【０１１７】
医師１００は、必要に応じて第１端末１０を用いてファイルサーバー３０にアクセスし、所望のサンプル画像を取得して、これを患者家族１２０に提供する。
【０１１８】
この場合にも、患者家族１２０は、第２端末２０を用いて患者の撮影を行うのみで容易に医療用参照画像若しくはその候補画像を取得できる。
【０１１９】
患者家族１２０は、上述のようにして医師１００から医療用参照画像のサンプル画像を第２端末２０に受け取った後は、当該第２端末２０を使用して患者の撮影を行うことで、自動的に医療用参照画像若しくはその候補画像を取得することができるようになる。
【０１２０】
この場合において、患者家族１２０は、第２端末２０を使用して患者画像を撮影するのに際し、特に医療用としての患者画像を撮影する意識を持つことなく、第２端末２０を用いた通常の使用をしていれば、サンプル画像に類似した医療用参照画像若しくはその候補画像を自動的に取得することができる。
【０１２１】
図６は、患者家族１２０が第２端末２０を用いて通常使用しているようすであって、例えば、患者１１０と他の家族１３０を含む人物写真を撮っている状況を一例として示している。そうして取得される複数の画像データは、当該第２端末２０の記憶媒体（不図示）に対し時系列で記録され蓄積される（図７参照）。またこのとき、必要に応じて、所定の画像データはネットワーク４０を介してファイルサーバー３０へと転送されるような構成も考えられる。図７は、第２端末２０に記録された複数の画像データの蓄積状況を概念的に示している。
【０１２２】
図７に示すように、第２端末２０の記憶媒体（不図示）には、例えば日付毎に又はイベント毎にフォルダーが作成され、各フォルダー内には、対応する複数の画像データが記録される。
【０１２３】
図７に示す例では、「２０１６年１２月（クリスマス）」，「２０１７年４−５月（ＧＷ）」，「２０１７年７−８月（夏休み）」，「２０１７年１０月（家族旅行）」，「２０１７年１２月（クリスマス）」等の日付情報とイベント名情報が示されている。そして、イベント毎に撮影した複数の画像が、フォルダー単位で記録されている様子を示している。
【０１２４】
この場合において、各マス目は、撮影コマ数を示すものとしている。さらに、各撮影コマ数のうち黒く塗り潰したマス目は、対象患者が含まれるコマを明示するものとしている。
【０１２５】
ここで、画像中における対象患者の検出は、例えば上記サンプル画像に含まれる医療メタデータ等を参照したり、予め登録された顔画像に基く顔検出処理等によって行われる。
【０１２６】
そして、第２端末２０は、所定のタイミングで対象患者を含む複数の画像データ（黒塗りマス）のうち、サンプル画像に類似した画像を検索する。この検索処理は、例えば画像のパターンマッチング等の処理を行えばよい。なお、この場合において、撮影された画像そのものの全領域を対象として、サンプル画像に類似している場合のほかにも、撮影された画像の一部領域がサンプル画像に類似している場合であっても、医療用参照画像になり得る。
【０１２７】
例えば、図７の符号２０ｚ，２０ｐで示す画像データは、撮影画像そのものがサンプル画像に類似していると判断されて、そのままの状態で医療用参照画像として承認される可能性のある候補画像の例示である。
【０１２８】
一方、図７の符号２０ｘ，２０ｙで示す画像データは、撮影された画像の一部領域がサンプル画像に類似している場合の例示である。この場合には、各画像２０ｘ，２０ｙの一部領域を切り出して、新たな画像データを作成し、これを医療用参照画像として承認する可能性のある候補画像の例示である。
【０１２９】
具体的には、例えば、患者家族１２０は、第２端末２０を用いて、クリスマスやＧＷ連休等のイベント時に患者を含む家族写真を撮影する（通常使用）。
【０１３０】
このとき、例えば、図６に示すような状況で、患者家族１２０が第２端末２０を用いて、患者１１０と他の家族１３０を含む人物写真を撮ったとする。その結果、取得された画像は、図７の符号２０ｘ，２０ｙで示すようなものとする。これらの画像２０ｘ，２０ｙにおいては、患者１１０が写っている一部の領域（図７の点線枠の領域；符号２０ｘａ，２０ｘｂ）をトリミング（切り取る）し、拡大処理を行うと、サンプル画像に類似する医療用参照画像若しくはその候補画像を作成することができる。
【０１３１】
なお、図７に示す画像枠中には、「承認」との記載が追加されている。これは、例えば、その画像には医療メタデータが付加されていると共に医療用参照画像として承認され得る画像データであることを示す表示アイコンの例示である。
【０１３２】
そして、図７に示すように、所定の時間間隔毎に、患者画像を医療用参照画像として作成しておき、これらの画像データがファイルサーバー３０に転送されて、医師との共有がなされると、医師は、これらの画像を参照することにより、直接患者に対面しなくとも、患者の状況を把握するための参考とすることができる。つまり、患者本人が定期的に通院できない場合でも、また医師が定期的に往診せずとも、医師は、患者の症状の経時変化を参照することができる。
【０１３３】
なお、第２端末２０の通常使用時において、所定の時間間隔後に、サンプル画像に類似の画像が存在しない場合、若しくは対象患者を含む画像が撮影されていないような場合には、第２端末２０は、その表示画面などに、患者画像の撮影を催促（図７の符号２０ｑ参照）する警告メッセージなどを出すようにしている。
【０１３４】
これにより、患者家族１２０は、第２端末２０を用いて、所定の時間間隔毎の患者画像を継続して撮影することになる。その際に、特に医療用参照画像であることを意識せずとも、通常使用を行うのみで、医師が承認し得る形態の医療用参照画像を、継続的に取得することができる。
【０１３５】
なお、上記催促の警告メッセージの表示は、第２端末２０が撮影モードでの動作時であっても、再生モードでの動作時であっても、いずれの場合であってもよい。例えば、当該第２端末２０の起動時等に、設定されている動作モードに関わらず催促の警告メッセージが表示される。
【０１３６】
また、図２〜図７を用いて説明した使用状況においては、医療用画像及び医療用参照画像の例として、患者の顔を含む画像を示して説明したが、これに限られるものではない。医療用画像や医療用参照画像としては、例えば患者の顔画像のほかにも、個々の患者毎に異なる患部等の画像や、術後の患部近傍の画像等が考えられる。
【０１３７】
上記のような作用を実現するために、本実施形態の医療支援システム１における情報端末装置（第１端末１０，第２端末２０）及びファイルサーバー３０の主要構成を、以下に説明する。
【０１３８】
図８は、本実施形態の医療支援システムにおける情報端末装置の主要構成を示すブロック構成図である。また、図９は、本実施形態の医療支援システムにおけるファイルサーバーの主要構成を示すブロック構成図である。
【０１３９】
まず、本実施形態の医療支援システム１における情報端末装置（１０，２０）の主要構成を説明する。なお、情報端末装置は、上述したように、医師が使用する第１端末１０と、医師以外の人物（例えば医師以外の医療従事者又は患者家族等）が使用する第２端末２０とがある。これらは形態が異なっていたとしても、その主要構成は略同様である。したがって、第１端末１０と第２端末２０とは同じ構成を有してなるものとして説明する。
【０１４０】
図８に示すように、情報端末装置（１０，２０）は、撮像部１１と、通信部１２と、操作部１３と、タッチパネル１４と、表示部１５と、記録部１６と、姿勢センサ１７と、ＧＰＳ１８と、方位センサ１９と、画像処理制御部２１と、時計部２２等を主に備えて構成されている。なお、情報端末装置（１０，２０）の構成要素としては、ここで列挙した以外にも、種々の構成要素を具備している。しかしながら、それらの構成要素は、本発明の要旨には直接関連しない部分であるので、その図示及び説明は省略する。そして、これら図示及び説明を省略された各種構成要素は、従来一般的な形態の情報端末装置に適用されているものと同様のものが具備されているものとする。
【０１４１】
撮像部１１は、光学像を形成する光学系と、この光学系により形成される光学的な被写体像を電気的な信号に変換する光電変換素子等を含む回路等によって構成され、撮像機能を実現する構成ユニットである。なお、撮像部１１についての具体的な構成は、従来一般的な形態の撮像ユニットと略同様のものが適用される。この撮像部１１は、後述する撮像制御部２１ａによって制御される。
【０１４２】
通信部１２は、機器同士の間で行われる通信を実現する回路ユニット（例えば近距離無線通信手段等）と、ネットワーク４０経由でファイルサーバー３０との間の通信を実現する回路ユニット等を含んで構成される構成ユニットである。なお、通信部１２に含まれる通信手段は、無線方式の通信手段に限らず、有線方式の通信手段も含まれる。この通信部１２は、後述する通信制御部２１ｃによって制御される。
【０１４３】
操作部１３は、使用者（ユーザ）によって行われる各種の操作を受けて、対応する各種の指示信号を発生させるための操作部材及び回路部を含む構成ユニットである。
【０１４４】
タッチパネル１４は、表示部１５の表示画面上に重畳させた形態で配置される操作部材である。当該タッチパネル１４は、使用者（ユーザ）の指等の操作指示を受けて対応する各種の指示信号を発生させる操作部材である。なお、このタッチパネル１４は、上記操作部１３に含まれるものであるが、近年、さまざまな電子装置において盛んに適用されている操作部材の一つでもあり、特に重要構成となるものであるので、操作部１３とは別に表記している。
【０１４５】
なお、操作部１３及びタッチパネル１４は、後述する操作判定部２１ｂによって、いずれの操作部材が操作されたかが判定される。その判定結果に基づいて、画像処理制御部２１は、対応する所定の操作信号を対応する構成ユニットに向けて出力する。
【０１４６】
表示部１５は、表示パネル及びその駆動回路等（不図示）からなり表示機能を実現する構成ユニットである。表示部１５の表示パネルには、撮像部１１を用いて取得された画像データに基く画像や、各種設定プログラム等によって生成されるメニュー画像が表示される。この表示部１５は、表示制御部２１ｄによって制御される。
【０１４７】
記録部１６は、各種のデータファイルを記録するための構成ユニットである。この記録部１６に記録されるデータファイルとしては、例えば、画像データ及びメタデータを含む画像情報、所定の撮影を行う際に必要となる設定項目の固有の設定等の各種設定をまとめてファイル化した設定情報（具体的には、例えば医療用参照画像を取得する際に行うべき各種設定をまとめた設定情報等），当該端末装置（１０，２０）や通信相手の装置（端末又はファイルサーバー等）の装置情報等のほか、その他各種の情報がある。
【０１４８】
姿勢センサ１７，ＧＰＳ１８，方位センサ１９は、当該情報端末装置（１０，２０）の状態を検出する各種センサ素子と、その回路部を含む。これらの回路部は、従来一般に実用化されている端末装置において適用されている構成ユニットと同様のものである。したがって、その詳細説明は省略する。
【０１４９】
時計部２２は、いわゆるリアルタイムクロック（Real-Time Clock；ＲＴＣ）などと呼ばれる内部時計回路である。この時計部２２は、例えば画像データファイル等に対して日時情報，時刻情報等を付与したり、制御処理中における所定の指示タイミング間の計時を行ったり、時間的制御等の際に利用される回路部である。
【０１５０】
画像処理制御部２１は、本情報端末装置（１０，２０）を統括的に制御する制御回路と、各種の画像データに基く各種の画像処理を行う画像処理回路である。
【０１５１】
この画像処理制御部２１は、撮像制御部２１ａと、操作判定部２１ｂと、通信制御部２１ｃと、表示制御部２１ｄと、記録制御部２１ｅと、画像判定部２１ｆと、撮影時情報付与部２１ｇ等を備えて構成されている。
【０１５２】
撮像制御部２１ａは、撮像部１１を制御して、ライブビュー画像表示用データを取得したり、所定の操作を受けて静止画像データや動画像データを取得する撮像動作を実行する回路部若しくはプログラムソフトウエアである。
【０１５３】
操作判定部２１ｂは、操作部１３をからの入力を受けて、入力された操作指示信号を判定する回路部若しくはプログラムソフトウエアである。この操作判定部２１ｂによる判定結果を受けて、当該画像処理制御部２１は、対応する構成ユニットの制御を実行する。
【０１５４】
通信制御部２１ｃは、通信部１２を制御する回路部若しくはプログラムソフトウエアである。この通信制御部２１ｃは、操作部１３等からの指示信号を受けて、通信関連の制御、例えば、端末装置同士の間での通信を行うか、ネットワーク４０経由でファイルサーバー３０との間の通信を行うか等の選択や、選択された通信手段を制御して、対応する各種の通信制御を行う。
【０１５５】
表示制御部２１ｄは、表示部１５を制御する回路部若しくはプログラムソフトウエアである。この表示制御部２１ｄは、操作部１３等からの指示信号を受けて、表示関連の制御、例えば、表示部１５の表示パネルによって表示すべき表示内容の選択や切り換え制御を行う。
【０１５６】
記録制御部２１ｅは、記録部１６を制御する回路部若しくはプログラムソフトウエアである。この記録制御部２１ｅは、操作部１３等からの指示信号を受けて、記録関連の制御、例えば、記録部１６に記録する各種の情報を所定のデータ形式に変換し、所定の記憶媒体（不図示）の所定の領域に記録する制御を行う。
【０１５７】
画像判定部２１ｆは、撮像部１１によって取得された画像データや、他の端末装置等から転送され入力された画像データ等に基づいて、画像データを解析することにより得られる各種の情報の判定処理、例えば撮影環境の光源情報，被写体までの距離情報，被写体（例えば顔領域）情報等の判定処理を行う回路部若しくはプログラムソフトウエアである。
【０１５８】
撮影時情報付与部２１ｇは、撮像部１１を用いて取得される画像データや、他の端末装置等から転送され入力された画像データ等に対し、対応する各種の情報を付与する回路部若しくはプログラムソフトウエアである。この撮影時情報付与部２１ｇによって付与される各種の情報は、画像データの取得時（撮影時）に取得される通常のメタデータ（日時情報、装置情報等）のほかに、上記医療メタデータ等がある。
【０１５９】
ここで、医療メタデータに含まれる情報には、上述の図３の説明をした時に列挙した各種の情報に加えて、さらに、例えば、通信に関する情報（通信情報），患者情報（対象情報），医師に関する情報，医師によるオーダーに関する情報（オーダー情報，依頼情報），患部の治療や検査に関する情報（条件情報），装置に関する情報（装置識別情報（ＧＳ１コード，ＪＡＮコード，装置シリアル番号等）等），カラーチャート（色票）情報，メジャー情報，装置の姿勢や位置に関する情報，医療用画像又は医療用参照画像としての承認情報や真贋情報等のほか、その他の各種情報等も含まれる。
【０１６０】
次に、本実施形態の医療支援システム１におけるファイルサーバー３０の主要構成を説明する。なお、このファイルサーバー３０は、例えば既存の病院情報システム（ＨＩＳ；Hospital Information System）等に含まれるファイルサーバー等に相当するものである。
【０１６１】
図９に示すように、ファイルサーバー３０は、制御部３１と、画像データベース３２と、オーダー情報等データベース３３と、患者情報データベース３４と、通信部３５等を主に備えて構成されている。
【０１６２】
制御部３１は、本ファイルサーバー３０を統括的に制御する制御回路である。この制御部３１は、患者判定部３１ａと、オーダー情報作成部３１ｂと、撮影条件情報作成部３１ｃ等を主に有して構成されている。
【０１６３】
患者判定部３１ａは、情報端末装置（１０，２０）から転送されてきた患者画像データを、対応する患者情報に関連付けするための回路部若しくはプログラムソフトウエアである。この患者判定部３１ａは、患者画像データに付随する医療メタデータと、画像データベース３２，患者情報データベース３４等に基づいて患者判定を行う。
【０１６４】
オーダー情報作成部３１ｂは、当該ファイルサーバー３０に医師がアクセスしてオーダー情報を作成するのに際して、画像データベース３２，オーダー情報等データベース３３，患者情報データベース３４等の各種情報を参照して、オーダー情報の作成を支援する回路部若しくはプログラムソフトウエアである。
【０１６５】
例えば、画像撮影に関するオーダー情報は、患部毎にある程度のフォーマットが規定されている。したがって、医師は、オーダー情報作成時に、所望する検査種別（例えば「画像撮影検査」等）と、所望の患部（例えば「顔」，「膝」等）等を選択することで、大まかな形態のオーダー情報を作成し得る。
【０１６６】
これに加えて、さらに、本実施形態の医療支援システム１においては、例えば、患者情報データベース３４から対象患者の電子カルテ情報や検査履歴情報等を参照し、過去に行った検査等のオーダー一覧から今回行う検査等（例えば「画像撮影検査」等）と同様若しくは類似のオーダーがあれば、そのオーダー情報を読み込んで、新たなオーダー情報の作成をさせる等のことを行うことができる。
【０１６７】
このように、オーダー情報作成部３１ｂは、医師がオーダー情報を作成する際に、入力作業の省略や効率化を行って、オーダー情報の作成を支援する構成部である。
【０１６８】
撮影条件情報作成部３１ｃは、医師からの指示に基づいてオーダー情報作成部３１ｂが作成したオーダー情報が、例えば画像撮影を伴うオーダーである場合に、その画像撮影指示に適切な撮影条件情報を作成する回路部若しくはプログラムソフトウエアである。
【０１６９】
この撮影条件情報作成部３１ｃは、オーダー情報作成時に参照した患者情報等に基づいて、過去に行われた同様の「画像撮影検査」時の過去のオーダー情報や、その検査結果（取得され記録されている画像データとその付随情報等）情報等を参照し、今回のオーダー情報に対応する画像撮影時に最適な撮影条件設定情報を作成する。
【０１７０】
医師は、通常の場合、オーダー情報を作成する時には医療行為的な指示を行うのみであるが、本実施形態の医療支援システム１においては、医師が作成した医療行為的な指示のみからなるオーダー情報に基づいて、撮影条件情報作成部３１ｃが、画像撮影を行う際の撮影条件情報を作成する。この撮影条件情報は、当該オーダー情報を受けて画像データを撮影する（取得する）ための情報端末装置（１０，２０）に伝達されて、撮影時に利用される。
【０１７１】
一方、画像データベース３２は、画像データを蓄積したデータベース部である。この画像データベース３２に蓄積された複数の画像データは、固有の患者情報にそれぞれ含まれる各種の画像データ、例えば特定患者の患部や症状を撮影した医療用画像又は医療用参照画像や患者を特定するための顔を含む画像等のほか、特定患部や特定症状の画像を取得する際に参考とするために予め用意されたサンプル画像等がある。
【０１７２】
ここで、医療用画像又は医療用参照画像は、具体的には例えば、診察過程中において術前又は術後の経過を記録した画像データや、手術中の患部の状態を記録した画像データ等がある。また、この場合の画像データの形態としては、一般的な撮像装置で記録される画像データのほか、Ｘ線画像データ，超音波画像データ，内視鏡画像データ等がある。このうち、Ｘ線画像データ，超音波画像データ，内視鏡画像データ等は、医師のオーダー（依頼）を受けて、医療関係の各種有資格が、病院等の医療拠点に設置された専用装置を用いて取得される画像データであり、医師の承認を受けた医療用画像である。
【０１７３】
画像データベース３２に蓄積されたこれら複数の画像データのうちサンプル画像以外は、それぞれが各対応する医療関連情報（電子カルテ情報や患者情報等）に関連付けされた形態で記録されている。さらに、各画像データには、撮影日時情報等をはじめとしたメタデータと、患者ＩＤや電子カルテ情報に基づいて各種の情報が、さらに付与される医療メタデータとが付随して記録されている。
【０１７４】
他方、オーダー情報等データベース３３は、医師によって出されるオーダー情報に関する情報を蓄積したデータベース部である。このオーダー情報等データベース３３に記録される情報としては、例えば所定の患部や所定の症状に対応させて予め設定されたオーダー仕様書のサンプル情報がある。このオーダー仕様書には、例えば医師名（依頼者名），患者ＩＤ，使用装置情報，撮影条件情報等が記載される。
【０１７５】
医師が特定の患者の検査等を行うために、各医療部署に対して、画像データの取得を依頼する際には、検査等の対象患者毎に、その患部や症状に合わせたオーダー情報を発行する必要がある。
【０１７６】
この場合において、医師は、オーダー情報をゼロベースで作成する必要がなくなるという利点がある。つまり、医師は、オーダー情報等データベース３３に記録されている複数のオーダー仕様書（サンプル）のなかから、今回行う対象患者の患部や症状に合致するものを参考とすることができ、よって、個々の対象患者の症状，患部等に応じてそれぞれに最適なオーダー仕様書を作成することができるようになる。
【０１７７】
患者情報データベース３４は、例えば患者ＩＤや電子カルテ情報等の患者情報を蓄積したデータベース部である。
【０１７８】
通信部３５は、ネットワーク４０を介して複数の情報端末装置（１０，２０）との間で相互に各種のデータファイルの送受信を行う回路部若しくはプログラムソフトウエアである。この通信部３５は、制御部３１に含まれる通信制御部（不図示）によって、所定の通信が実行されるように制御されている。
【０１７９】
このように構成された本実施形態の医療支援システム１の作用を、以下に説明する。
【０１８０】
まず、本実施形態の医療支援システム１における情報端末装置のうちの第２端末２０の作用を説明する。図１０，図１１は、本実施形態の医療支援システムにおける情報端末装置のうち第２端末２０の作用を示すフローチャートである。
【０１８１】
本実施形態の医療支援システム１において、第２端末２０は、上述したように、例えば医師以外が使用する情報端末装置である。
【０１８２】
まず、第２端末２０は、電源オン状態とされて使用可能に起動している状態にあるものとする。
【０１８３】
この状態において、第２端末２０の画像処理制御部２１は、まず、図１０のステップＳ１０１において、当該第２端末２０の起動時点から所定の時間が経過しても、医師のオーダーに応じた画像が撮影されない場合には、表示制御部２１ｄを介して表示部１５を制御して、所定の警告表示等を表示させる。ここで、所定の警告表示等としては、例えば、対象患者のオーダー画像撮影を促す警告表示等である。その後、次のステップＳ１０２の処理に進む。
【０１８４】
ステップＳ１０２において、画像処理制御部２１は、現在設定されている動作モードが撮影モードであるか否かを確認する。ここで、撮影モードが設定されている場合は、次のステップＳ１０３の処理に進む。また、撮影モード以外の動作モードが設定されている場合は、図１１のステップＳ１２１の処理に進む（図１０及び図１１の丸符号１１参照）。
【０１８５】
図１１のステップＳ１２１において、現在設定されている動作モードが再生モードであるか否かを確認する。ここで、再生モードに設定されている場合は、次のステップＳ１２２の処理に進む。また、再生モード以外の動作モードが設定されている場合は、ステップＳ１３３の処理に進む（図１０及び図１１の丸符号１１参照）。
【０１８６】
図１１のステップＳ１３３において、画像処理制御部２１は、現在設定されている動作モードが送信モードであるか否かを確認する。ここで、送信モードに設定されている場合は、次のステップＳ１３６の処理に進み、このステップＳ１３６にて、画像処理制御部２１は、例えば通信設定処理を行ったり、所定の画像を送信する画像送信処理を実行する。
【０１８７】
なお、ここで行われる通信設定処理は、概略次のようなものである。即ち、まず、画像処理制御部２１は、表示制御部２１ｄを介して表示部１５を制御して、所定の設定メニュー画面を表示する。使用者（ユーザ）は、この設定メニュー画面を見ながら所望の設定操作を行う。これを受けて、画像処理制御部２１の操作判定部２１ｂは、入力された操作指示信号を判定し、対応する各種の設定処理を行う。
【０１８８】
また、ここで行われる画像送信処理は、当該第２端末２０にて取得された対象患者の画像のうち所定の撮影条件に合致した医療用参照画像（見守り画像）である。
【０１８９】
その後、図１０のステップＳ１０１の処理に戻り、以降の処理を繰り返す（図１１，図１０の丸符号１０参照）。
【０１９０】
一方、上述のステップＳ１３３の処理にて、送信モード以外が設定されている場合は、ステップＳ１３４の処理に進み、このステップＳ１３４において、画像処理制御部２１は、第１端末１０からオーダー情報等を受信するか否かの確認を行う。
【０１９１】
ここで行われる確認処理は、後述する第１端末１０からのオーダー情報送信処理（図１２のステップＳ２１３，Ｓ２２７，Ｓ２３５の処理参照）を受けて行われる処理である。
【０１９２】
第１端末１０からのオーダー情報送信処理の実行中に、第２端末２０が送信モードにあるとき、当該第２端末２０は、第１端末１０からのオーダー情報を受信し得る。そこで、使用者（ユーザ）は、当該オーダー情報を受信するための所定の操作を行うことで、当該オーダー情報を受信できる。
【０１９３】
ここで、オーダー情報等の受信指示が確認された場合には、次のステップＳ１３５の処理に進む。また、オーダー情報等を受信しない旨の指示、若しくは第１端末１０のオーダー情報送信処理による送信がないことが確認された場合には、図１０のステップＳ１０１の処理に戻り、以降の処理を繰り返す（図１１，図１０の丸符号１０参照）。
【０１９４】
ステップＳ１３５において、画像処理制御部２１は、オーダー情報等の受信処理と、受信した情報の記録処理を実行する。このようにして、第２端末２０が第１端末１０からオーダー情報等を取得すると、当該第２端末２０は、オーダー情報に基づく撮影動作モード（見守り撮影モードともいう）を設定できるようになる。
【０１９５】
その後、図１０のステップＳ１０１の処理に戻り、以降の処理を繰り返す（図１１，図１０の丸符号１０参照）。
【０１９６】
一方、上述のステップＳ１０２の処理にて、撮影モードが設定されていることが確認されてステップＳ１０３の処理に進むと、このステップＳ１０３において、画像処理制御部２１は、撮像制御部２１ａを介して撮像部１１を制御すると共に、表示制御部２１ｄを介して表示部１５を制御して所定のライブビュー画像の表示動作を開始する。
【０１９７】
次いで、ステップＳ１０４において、画像処理制御部２１は、医師のオーダー（依頼又は指示等）に基づく（オーダー情報に基づく）オーダー撮影を行うか否かの確認を行う。この確認は、例えば使用者（ユーザ）によって行われる所定の操作指示信号（所定の撮影モード選択操作など）の確認又は予めオーダー情報が当該第２端末２０に転送されているかの確認等である。
【０１９８】
ここで、オーダー撮影指示が確認された場合には、次のステップＳ１０５の処理に進む。また、オーダー撮影指示が確認されない場合には、ステップＳ１０６の処理に進む。
【０１９９】
ステップＳ１０５において、画像処理制御部２１は、本人確認処理を行う。ここで行われる本人確認処理は、例えばライブビュー画像に基いて顔検出を行って予め登録済みの対象患者であるかどうかの確認、または、対象患者への確認を行い、その返答音声による確認でもよい。例えば、検査する側の医療従事者が音声によって「○○さんですね」等と尋ねたとする。これに対して、患者側が「はい」と返答するといった場合における音声記録を行う。そして、その音声データに基づいて、声紋等を認証する方法等がある。
【０２００】
次いで、ステップＳ１０６において、画像処理制御部２１は、操作判定部２１ｂからの指示信号を監視して撮影パラメータ操作がされたか否かを確認する。ここで、撮影パラメータ操作が確認された場合には、次のステップＳ１０７の処理に進む。また、撮影パラメータ操作が確認されない場合には、ステップＳ１０８の処理に進む。
【０２０１】
続いて、ステップＳ１０７において、画像処理制御部２１は、上述のステップＳ１０６の処理にて操作された撮影パラメータ操作指示に対応する撮影パラメータ変更処理を行う。その後、ステップＳ１０８の処理に進む。
【０２０２】
ステップＳ１０８において、画像処理制御部２１は、撮影動作の実行を指示する指示信号が発生したか否かの確認をする。ここで、撮影指示が確認された場合には、次のステップＳ１０９の処理に進む。また、撮影指示が確認されない場合には、上述のステップＳ１０１の処理に戻り、以降の処理を繰り返す。
【０２０３】
ステップＳ１０９において、画像処理制御部２１は、撮像制御部２１ａを介して撮像部１１を制御して所定の撮影処理を行うと共に、記録制御部２１ｅを介して記録部１６を制御して所定の記録処理を実行する。なお、ここで行われる撮影処理は、静止画像の撮影動作のみでなく、音声を含む静止画像撮影や、動画像撮影（音声付き，音声無しいずれも）等、各種の形態が含まれる。
【０２０４】
ステップＳ１１０において、画像処理制御部２１は、上述のステップＳ１０９の処理にて取得した画像内に特定対象（対象患者）の検出処理を行う。ここで、対象患者が検出された場合には、次のステップＳ１１３の処理に進む。また、対象患者が検出されない場合には、ステップＳ１１１の処理に進む。
【０２０５】
なお、ここで行われる被写体（対象患者）検出処理は、上述のステップＳ１０８にて取得済み画像データに基づいて行ってもよいし、継続中のライブビュー画像に基いて行うようにしてもよい。
【０２０６】
ステップＳ１１１において、画像処理制御部２１は、前回の撮影（前回起動）時から所定の時間が経過しているか否かの確認を行う。ここで、前回撮影（起動）時から所定時間が経過している場合には、次のステップＳ１１２の処理に進む。また、前回撮影（起動）時から所定時間が経過していない場合には、上述のステップＳ１０１の処理に戻り、以降の処理を繰り返す。
次のステップＳ１１２において、画像処理制御部２１は、表示制御部２１ｄを介して表示部１５を制御して所定の警告表示又はアドバイス表示等を表示する。その後、上述のステップＳ１０１の処理に戻り、以降の処理を繰り返す。
【０２０７】
一方、上述のステップＳ１１０の処理にて、対象患者が検出されて、次のステップＳ１１３の処理に進むと、このステップＳ１１３において、画像処理制御部２１は、前回の対象患者の撮影時から所定の時間が経過しているか否かの確認を行う。ここで、前回の対象患者の撮影時から所定時間が経過していない場合には、上述のステップＳ１０１の処理に戻り、以降の処理を繰り返す。
【０２０８】
一方、ステップＳ１１３において、前回撮影時から所定時間が経過している場合には、次のステップＳ１１４の処理に進み、このステップＳ１１４において、画像処理制御部２１は、所定のオーダー撮影が可能か否かの確認を行う。ここで、オーダー撮影が可能か否かの確認処理は、現在の第２端末２０の状況において、上述の図１１のステップＳ１３５にて予め第１端末１０より受信して記録されているオーダー情報による撮影条件に基づいた撮影が可能か否かの確認である。
【０２０９】
これは、オーダーを出した医師の意思などを反映させる処理である。もちろん、単に撮影で得られる画像の品質の条件のみならず、「診療管理情報」を含むオーダー情報に基づく条件であってもよい。
【０２１０】
ステップＳ１１４の分岐処理が、こうしたオーダー条件によるものだとすると、このオーダー条件を満たすか満たさないかを判定するには、例えば、撮影の対象人物や部位が異なる場合や、想定していた機材やアクセサリが使用されていない場合，指定の構図がとれない場合、指定の撮影パラメータが設定できない場合，露光量不足の場合，適切なピント合わせができない場合，手ぶれが生じた場合等、各種の条件に対応する撮影結果について数値化し、これを所定の判断基準に基づいて判定してもよい。また、撮影の順番が規定された順番ではない場合、指定の撮影枚数に過不足が生じた場合等によってオーダー条件を満たさないと判定してもよい。
【０２１１】
診療ならではの特徴としては、ステップＳ１０５の処理における本人確認処理の際の音声情報やその他の意思表示入力による患者確認の有無やその良否，撮影者情報等が入っている否か等の情報等を含めての適不適等が挙げられる。これらは、システム側でデフォルトで決められていてもよいし、主治医などが指定することによってもよい。
【０２１２】
ここで、所定のオーダー撮影が可能であることが確認されると、次のステップＳ１１５の処理に進み、このステップＳ１１５において、画像処理制御部２１は、所定のオーダー情報に基づいて所定の見守り撮影処理を実行し、その後、取得した画像情報（画像データ）の記録処理を行う。その後、ステップＳ１１６の処理に進む。
【０２１３】
ステップＳ１１６において、画像処理制御部２１は、オーダー情報に応じた画像が取得されたかどうかのオーダーチェック処理を実行する。その後、上述のステップＳ１０１の処理に戻り、以降の処理を繰り返す。
【０２１４】
ここのチェック処理も、上記ステップＳ１１４と同様の条件で行っても良い。また、ステップＳ１１７と同様の警告やガイド表示などを伴っても良い。例えば、撮影前は、撮影者は手振れを気にしたり構図に集中したりすることになるので、画像が変化しやすい。したがって、条件を満たしたかどうかを完全に判定できない場合がある。そこで、このように撮影後にチェックを行うことも重要である。
【０２１５】
さらに、このタイミングで、画像やその特徴、必要に応じて音声情報などを外部機器（病院のシステム等）に送信し、当該条件を満たしたかどうかを判定依頼してもよい。
【０２１６】
この場合、正確な人物の認証や部位の判定が大型のコンピュータ等で高速で高精度に情報量の多い判定やアドバイス、ガイドを行うことが可能となる。
【０２１７】
また、必要に応じて、これらの情報を元に深層学習などを行って判定時に、その結果を併用してもよい。例えば、特定の症例などは、本当にその画像で良いかを、同じ症例の画像群を利用した深層学習によって、正しい撮影かどうかが判定可能となる。患者を特定するための顔画像なども病状によっては、簡単には判別できない可能性もあるが、人工知能の活用で判定が可能となる可能性が高い。
【０２１８】
こうした判定結果を加味して、ステップＳ１１５の処理にて行った記録結果に反映させたり、記録を改めてこのタイミングで行ってもよい。ここで、通常の撮影か、オーダーに基づいた撮影か、を識別可能な情報を入れることが重要で、オーダー条件によるチェック結果などを画像と関連付けて記録してもよい。
【０２１９】
この場合には、特定のファイルフォーマットにして、画像情報やこうしたオーダー関連、画像管理情報（オーダーの内容やそのオーダーを満たしたかの条件での判定の判定結果等、若しくは、それらのうちの一部の情報だけでもよい）を特定の規則で入れ込むようにする。
【０２２０】
つまり、オーダー情報に基づいて作成された撮影条件情報をファイルサーバーから受け取り、この撮影条件情報に基づく画像撮影を行って画像データを取得して、取得した画像データと撮影条件情報とを関連付けた形式の画像ファイルを生成し、この画像ファイルを記録部に記録することができる。
【０２２１】
他方、上述のステップＳ１１４の処理にて、オーダー撮影が不可能であると判断されると、ステップＳ１１７の処理に進み、このステップＳ１１７にて、画像処理制御部２１は、所定の警告，アドバイス表示を実行する。その後、上述のステップＳ１０１の処理に戻り、以降の処理を繰り返す。
【０２２２】
ここで、オーダー撮影は、診療時に重要となる緒要素を満たした撮影である必要があることから、警告などで撮り直しを示唆してもよいし、より分かりやすく撮影アドバイスや撮影ガイドを出すようにしても良い。これらの示唆，アドバイス，ガイド等は、例えば、画像で表示してもよく、音声で指示してもよく、両方を利用しても良い。
【０２２３】
オーダー情報に基づいた撮影状況下でも、オーダー条件を満たせない場合は、ガイド情報（警告やアドバイス等も含む）を出すことによって医療現場で活用しやすい画像が簡単に得られるようになる。
【０２２４】
また、上述したように、図１１のステップＳ１２１の処理にて、再生モードに設定されていることが確認されて、同図１１のステップＳ１２２の処理に進むと、このステップＳ１２２において、画像処理制御部２１は、表示制御部２１ｄを介して表示部１５を制御して、当該表示部１５の表示パネル（不図示）を用いて所定の画像一覧表示処理を実行する。この画像一覧表示処理は、例えば当該第２端末２０の記録部１６に含まれる記憶媒体（不図示）に記録されている複数の画像データに基く画像を一覧表示する処理である。この画像一覧表示処理は、一般的な形態の情報端末装置（カメラやスマートフォン，タブレット型ＰＣ等）によって行われる処理と同様である。
【０２２５】
続いて、ステップＳ１２３において、画像処理制御部２１は、操作判定部２１ｂを介して所定の画像を選択する選択指示信号が発生したか否かの確認を行う。ここで、画像選択指示信号が確認された場合には、次のステップＳ１２５の処理に進む。また、画像選択指示信号が確認されない場合には、ステップＳ１２４の処理に進み、このステップＳ１２４にて、再生モードを抜けて前の動作モードに戻る指示信号が発生したか否かの確認を行う。
【０２２６】
ここで、戻る指示信号が確認された場合には、図１０のステップＳ１０１の処理に戻り、以降の処理を繰り返す（図１１，図１０の丸符号１０参照）。また、戻る指示信号が確認されない場合には、ステップＳ１２２の処理に戻り、以降の処理を繰り返す。つまり、画像一覧表示を継続する。
【０２２７】
ステップＳ１２５において、画像処理制御部２１は、表示制御部２１ｄを介して表示部１５を制御して、上述のステップＳ１２３の処理にて発生した画像選択指示信号に対応する画像についての単独画像表示（拡大表示）処理を実行する。その後、ステップＳ１２６の処理に進む。
【０２２８】
ステップＳ１２６において、画像処理制御部２１は、操作判定部２１ｂを介して詳細表示指示信号が発生したか否かの確認を行う。ここで、詳細表示指示信号が確認された場合には、次のステップＳ１２７の処理に進む。また、詳細表示指示信号が確認されない場合には、ステップＳ１２８の処理に進む
ステップＳ１２７において、画像処理制御部２１は、記録制御部２１ｅを介して記録部１６を制御して現在、表示部１５に表示中の画像データに付随するメタデータを読み取る。その後、表示制御部２１ｄを介して表示部１５を制御して、上記メタデータの詳細を表示する。その後、ステップＳ１２８の処理に進む。
【０２２９】
なお、このメタデータ詳細表示は、表示後、所定の時間が経過すると、自動的に前の単独画像表示に戻る。また、これとは別に、使用者（ユーザ）の所定の操作を待って、メタデータ詳細表示を終了させて、前の単独画像表示に戻すようにしてもよい。さらに、別の形態としては、メタデータ詳細表示の表示形態を、単独画像表示に重畳表示させる形態とする等としてもよい。
【０２３０】
ステップＳ１２８において、画像処理制御部２１は、当該第２端末２０の記録部１６に含まれる記憶媒体（不図示）に記録されている複数の画像データについて、所定の画像検索処理を行うか否かの確認を行う。この場合において想定している画像検索処理は、例えば対象患者の顔を含む画像検索である。
【０２３１】
ここで、画像検索処理を実行する操作指示が確認された場合には、次のステップＳ１２９の処理に進む。また、画像検索処理を実行する操作指示がない場合には、ステップＳ１３０の処理に進む
ステップＳ１２９において、画像処理制御部２１は、画像検索処理を実行した後、表示制御部２１ｄを介して表示部１５を制御して、その検索結果一覧表示を行う。
【０２３２】
この場合における検索結果一覧表示は、例えば、図２で説明した当該医療支援システム１の使用状況の第１パターンの際に、患者家族１２０が第２端末２０の患者画像を医師に診せる際の動作に対応する。
【０２３３】
ステップＳ１３０において、画像処理制御部２１は、操作判定部２１ｂを介して所定の画像を参照画像として選択する選択指示信号が発生したか否かの確認を行う。
【０２３４】
この場合における、画像選択操作は、例えば、図２で説明した当該医療支援システム１の使用状況の第１パターンの際に、医師１００が第２端末２０の患者画像の中から医療用参照画像とする候補画像を選択する際の動作に対応する。
【０２３５】
ここで、参照画像候補の選択指示信号が確認された場合には、次のステップＳ１３１の処理に進み、このステップＳ１３１にて、選択された参照画像候補の第１端末１０への送信処理を実行する。
【０２３６】
ここで行われる第２端末２０から第１端末１０への参照画像候補の送信処理は、後述する図１２のステップＳ２２１の処理に対応する。
【０２３７】
また、参照画像候補の選択指示信号がない場合には、ステップＳ１３２の処理に進み、このステップＳ１３２において、画像処理制御部２１は、戻る指示信号が発生したか否かの確認を行う。ここで、戻る指示信号が確認された場合には、図１０のステップＳ１０１の処理に戻り、以降の処理を繰り返す（図１１，図１０の丸符号１０参照）。また、戻る指示信号が確認されない場合には、ステップＳ１２５の処理に戻り、以降の処理を繰り返す。
【０２３８】
次に、本実施形態の医療支援システム１における第１端末１０の作用を説明する。図１２は、本実施形態の医療支援システムにおける情報端末装置のうち医師が使用する情報端末装置（第１端末１０）の作用を示すフローチャートである。
【０２３９】
図１２のステップＳ２０１において、画像処理制御部２１は、表示制御部２１ｄを介して表示部１５を制御して、現在設定されている動作モードを表示する。その後、ステップＳ２０２の処理に進む。
【０２４０】
次に、ステップＳ２０２において、画像処理制御部２１は、現在設定されている動作モードが撮影モードのうちの見守り撮影モードか否かの確認を行う。この場合において、見守り撮影モードは、上述したように、医師のオーダー情報に基づく撮影動作モードをいうものとする。
【０２４１】
ここで、現在見守り撮影モードに設定されている場合には、次のステップＳ２０３の処理に進む。また、現在見守り撮影モードに設定されていない場合には、ステップＳ２１５の処理に進む。
【０２４２】
ステップＳ２１５において、画像処理制御部２１は、端末認証処理を行うか否かの確認を行う。ここで、端末認証処理とは、当該医療支援システム１において第１端末１０を使用可能とするために、当該第１端末１０を当該医療支援システム１に登録するための手続きである。なお、この端末認証処理は、当該医療支援システム１にて情報端末装置を使用するのに際し、最初に一回行えばよい。二回目以降の使用時には、この端末認証処理により設定され取得したＩＤ，パスワードを用いることで、認証済みの第１端末１０は、当該医療支援システム１において利用可能となる。
【０２４３】
ここで、端末認証処理を行う場合には、次のステップＳ２１６の処理に進む。また、端末認証処理を行わない場合には、ステップＳ２１８の処理に進み、このステップＳ２１８において、画像処理制御部２１は、その他の動作モードによる処理を実行する。なお、ここで、その他の動作モードとしては、例えば、電話通信モードやメール送受信モード等がある。しかし、これらその他の動作モードについては、本発明に直接関連しない部分であるので、その詳細説明及び図示は省略する。
【０２４４】
上述したように、端末認証処理を行う際にはステップＳ２１６の処理に進む、このステップＳ２１６において、画像処理制御部２１は、ＩＤ設定処理やパスワード設定処理等、端末認証に必要な手続きに関する処理を実行する。その後、ステップＳ２１７の処理に進む。
【０２４５】
ステップＳ２１７において、画像処理制御部２１は、操作判定部２１ｂを介して入力される操作指示信号に応じて対象患者の患者情報等をファイルサーバーから取得する処理等を実行する。必要な処理を終えたら、終了指示信号を待って、上述のステップＳ２０１の処理に戻り、以降の処理を繰り返す。
【０２４６】
上述のステップＳ２０２の処理にて、現在見守り撮影モードに設定されている場合に、次のステップＳ２０３の処理に進むと、このステップＳ２０３において、画像処理制御部２１は、上述のステップＳ２１５の処理（端末認証処理）にて取得したＩＤ，パスワードを用いてログイン処理を実行する。
【０２４７】
続いて、ステップＳ２０４において、画像処理制御部２１は、表示制御部２１ｄを介して表示部１５を制御して機能一覧表示を実行する。
【０２４８】
次いで、ステップＳ２０５において、画像処理制御部２１は、第１端末１０を用いて撮影を行うか否かの確認を行う。この場合において、第１端末１０を用いて行う撮影は、例えば、図４で説明した当該医療支援システム１の使用状況の第２パターンの際に、医師１００が第１端末１０を用いて患者画像を撮影し、これを医療用参照画像のサンプル画像とする際の動作に対応する。換言すれば、ここで行われる撮影動作（画像取得動作）は、対象患者の医療用参照画像のサンプル画像を取得するための一手段である。
【０２４９】
ここで、第１端末１０を用いて撮影を行う場合、医師は、例えば、表示部１５に表示中の機能一覧の中から撮影動作を実行するためのアプリケーションを選択指示する操作を行う。こうして、当該第１端末１０を用いて撮影を行うことが確認された場合には、次のステップＳ２０６の処理に進む。また、当該第１端末１０による撮影動作を行わない場合には、ステップＳ２２１の処理に進む。
【０２５０】
ステップＳ２０６において、画像処理制御部２１は、撮像制御部２１ａを介して撮像部１１を制御すると共に、表示制御部２１ｄを介して表示部１５を制御して所定のライブビュー画像の表示動作を開始する。
【０２５１】
次いで、ステップＳ２０７において、画像処理制御部２１は、操作判定部２１ｂからの指示信号を監視して撮影パラメータ操作がされたか否かを確認し、撮影パラメータ操作が確認された場合には、対応する操作指示に応じた撮影パラメータ調整処理を実行する。その後、ステップＳ２０８の処理に進む。
【０２５２】
ステップＳ２０８において、画像処理制御部２１は、撮影動作の実行を指示する指示信号が発生したか否かの確認をする。ここで、撮影指示信号が確認された場合には、次のステップＳ２０９の処理に進む。また、撮影指示信号が確認されない場合には、ステップＳ２１４の処理に進む。
【０２５３】
ステップＳ２０９において、画像処理制御部２１は、撮像制御部２１ａを介して撮像部１１を制御して所定の撮影処理を行うと共に、記録制御部２１ｅを介して記録部１６を制御して所定の記録処理を実行する。
【０２５４】
続いて、ステップＳ２１０において、画像処理制御部２１は、ファイルサーバー３０から取得済み（ステップＳ２１７参照）の患者情報等を上述のステップＳ２０９にて取得した画像データに関連付ける。
【０２５５】
次いで、ステップＳ２１１において、画像処理制御部２１は、上記画像データをファイルサーバー３０の所定の領域（画像データベース３２）に記録する処理を実行する。この処理には、当該画像データをネットワーク４０を介してファイルサーバー３０へと転送する処理も含まれる。
【０２５６】
次に、ステップＳ２１２において、画像処理制御部２１は、同画像データを第２端末２０に転送するか否かの確認を行う。
【０２５７】
ここで、同画像データを第２端末２０へと転送する場合、医師は、例えば、表示部１５に表示中の機能一覧の中から他の情報端末装置との間で画像転送動作を実行するためのアプリケーションを選択指示する操作を行う。
【０２５８】
第１端末１０から第２端末２０へとの画像転送を行うことが確認された場合には、次のステップＳ２１３の処理に進む。また、第１端末１０から第２端末２０への画像転送を行わない場合には、ステップＳ２１４の処理に進む。
【０２５９】
ステップＳ２１３において、画像処理制御部２１は、第２端末２０へとオーダー情報等を送信する。
【０２６０】
ここで行われるオーダー情報送信処理は、上述の第２端末２０におけるオーダー情報取得処理（図１１のステップＳ１３４の処理参照）を受けて行われる処理である。
【０２６１】
当該第１端末１０からのオーダー情報送信処理の実行中に、第２端末２０が送信モードにあると、当該第２端末２０は、第１端末１０からのオーダー情報を受信し得る。
【０２６２】
次に、ステップＳ２１４において、画像処理制御部２１は、戻る指示信号が発生したか否かの確認を行う。ここで、戻る指示信号が確認された場合には、上述のステップＳ２０１の処理に戻り、以降の処理を繰り返す。また、戻る指示信号が確認されない場合には、上述のステップＳ２０６の処理に戻り、以降の処理を繰り返す。
【０２６３】
一方、上述のステップＳ２０５の処理にて、第１端末１０を用いて撮影を行わない場合に、ステップＳ２２１の処理に進むと、このステップＳ２２１において、画像処理制御部２１は、第２端末２０から画像を取得するか否かの確認を行う。
【０２６４】
この場合において、第２端末２０から画像を取得するとは、例えば、図２，図３で説明した当該医療支援システム１の使用状況の第１パターンの際に、医師１００が第２端末２０の患者画像の中から医療用参照画像とする候補画像を取得する際の動作に対応する。換言すれば、ここで行われる画像取得動作は、対象患者の医療用参照画像のサンプル画像を取得するための他の一手段である。
【０２６５】
上述したように、第２端末２０は、例えば患者家族等が私有し使用している情報端末装置としている。それゆえに、当該第２端末２０は、当該医療支援システム１における端末認証を受けておらず、よってファイルサーバー３０へのアクセスができないものとしている。したがって、ここでは、第２端末２０の画像データを、一旦、医師の有する第１端末１０へと転送し、これを受けて、医師は、第１端末１０にて当該画像データに所定の医療メタデータを付すことで、当該画像データを医療用参照画像として承認した後、当該医師が正式に認証を受けた当該第１端末１０を用いて、当該画像データをファイルサーバー３０へと転送する手順を想定した例を示している。
【０２６６】
ここで、第２端末２０から画像を取得する場合、医師は、例えば、表示部１５に表示中の機能一覧の中から他の情報端末装置との間で画像転送動作を実行するためのアプリケーションを選択指示する操作を行う。こうして、第２端末２０からの画像取得動作を行うことが確認された場合には、次のステップＳ２２２の処理に進む。また、第２端末２０からの画像取得動作を行わない場合には、ステップＳ２３１の処理に進む。
【０２６７】
ステップＳ２２２において、画像処理制御部２１は、第２端末２０から所定の画像データ及び当該第２端末２０の仕様情報等を取得する（図１１のステップＳ１３１の処理により送信された情報を受信する）。
【０２６８】
ここで、第２端末２０の仕様情報を取得するようにしているのは、次のような理由による。
【０２６９】
例えば、オーダー情報に応じた撮影条件情報を作成するのに際して、オーダー情報の中にマクロ撮影を行うという指示があったとする。この場合において、使用する第２端末２０には、その装置の仕様として、マクロ撮影を行うためのマクロモードが設定されていない場合もあり得る。このような場合に対処するために、第２端末２０の仕様を把握するようにしている。
【０２７０】
つまり、第２端末２０の仕様を予め把握しておれば、オーダー情報に応じた撮影条件情報を作成する際に、第２端末２０の仕様に応じた撮影条件情報を作成することができる。
【０２７１】
具体的には例えば、マクロモードの設定のない第２端末２０の場合には、光学ズーム機能や電子ズーム機能等を代用する等の電子的な画像処理を用いて、結果的に所望の撮影倍率に合わせる画像を取得することが可能である。このように、端末仕様として設定のない撮影指示があった場合に、その代替となる設定情報を撮影条件情報として入れ込むといったことができるようになる。
【０２７２】
続いて、ステップＳ２２３において、画像処理制御部２１は、第２端末２０から転送されてきた画像データを受信して、記録制御部２１ｅを介して記録部１６を制御して所定の記録処理を実行する。
【０２７３】
次に、ステップＳ２２４において、画像処理制御部２１は、ファイルサーバー３０から取得済み（ステップＳ２１７参照）の患者情報等を上述のステップＳ２２３にて取得した画像データに関連付ける。
【０２７４】
次いで、ステップＳ２２５において、画像処理制御部２１は、上記画像データをファイルサーバー３０の所定の領域（画像データベース３２）に記録する処理を実行する。この処理には、当該画像データをネットワーク４０を介してファイルサーバー３０へと転送する処理も含まれる。
【０２７５】
次に、ステップＳ２２６において、画像処理制御部２１は、同画像データを第２端末２０に転送するか否かの確認を行う。この場合において、第２端末２０へと転送される画像データは、患者情報等がメタデータとして付加されることで、医療用参照画像として医師により承認された画像データである。
【０２７６】
ここで、同画像データを第２端末２０へと転送する場合、医師は、例えば、表示部１５に表示中の機能一覧の中から他の情報端末装置との間で画像転送動作を実行するためのアプリケーションを選択指示する操作を行う。
【０２７７】
第１端末１０から第２端末２０へとの画像転送を行うことが確認された場合には、次のステップＳ２２７の処理に進む。また、第１端末１０から第２端末２０への画像転送を行わない場合には、ステップＳ２２８の処理に進む。
【０２７８】
ステップＳ２２７において、画像処理制御部２１は、第２端末２０へとオーダー情報等を送信する。
【０２７９】
ここで行われるオーダー情報送信処理は、上述の第２端末２０におけるオーダー情報取得処理（図１１のステップＳ１３４の処理参照）を受けて行われる処理である。
【０２８０】
当該第１端末１０からのオーダー情報送信処理の実行中に、第２端末２０が送信モードにあると、当該第２端末２０は、第１端末１０からのオーダー情報を受信し得る。
【０２８１】
次に、ステップＳ２２８において、画像処理制御部２１は、戻る指示信号が発生したか否かの確認を行う。ここで、戻る指示信号が確認された場合には、上述のステップＳ２０１の処理に戻り、以降の処理を繰り返す。また、戻る指示信号が確認されない場合には、上述のステップＳ２２２の処理に戻り、以降の処理を繰り返す。
【０２８２】
上述のステップＳ２２１の処理にて、第２端末２０から画像取得を行わない場合に、ステップＳ２３１の処理に進むと、このステップＳ２３１において、画像処理制御部２１は、ファイルサーバー３０から画像を取得するか否かの確認を行う。この場合において、ファイルサーバー３０から画像を取得するとは、例えば、図５で説明した当該医療支援システム１の使用状況の第３パターンの際に、医師１００が第１端末１０を用いてファイルサーバー３０にアクセスし、所望のサンプル画像を取得する際の動作に対応する。換言すれば、ここで行われる画像取得動作は、対象患者の医療用参照画像のサンプル画像を取得するための別の一手段である。
【０２８３】
ここで、ファイルサーバー３０から画像を取得する場合、医師は、例えば、表示部１５に表示中の機能一覧の中からファイルサーバーとの間で画像転送動作を実行するためのアプリケーションを選択指示する操作を行う。こうして、ファイルサーバー３０からの画像取得動作を行うことが確認された場合には、次のステップＳ２３２の処理に進む。また、ファイルサーバー３０からの画像取得動作を行わない場合には、ステップＳ２３７の処理に進み、このステップＳ２３７において、画像処理制御部２１は、その他処理、例えば、医療用参照画像（見守り画像）の比較確認処理や患者情報アクセス処理等を実行する。その後、上述のステップＳ２０１の処理に戻り、以降の処理を繰り返す。
【０２８４】
一方、上述のステップＳ２３１の処理にて、ファイルサーバー３０から画像を取得する場合に次のステップＳ２３２に進むと、このステップＳ２３２において、画像処理制御部２１は、ファイルサーバー３０との間でネットワーク４０を介して通信を行って、画像データベース３２，オーダー情報等データベース３３，患者情報データベース３４等にアクセスして、所望の情報を検索する。ここで、検索する所望の情報は、対象患者の症状，病状，患部等に応じたサンプル画像データと、その付随する各種の情報である。
【０２８５】
ステップＳ２３３において、画像処理制御部２１は、上述のステップＳ２３２の処理にて検索した所望の情報（サンプル画像データとその付随情報等）を取得する。
【０２８６】
次に、ステップＳ２３４において、画像処理制御部２１は、上述のステップＳ２３３にて取得した情報（サンプル画像とその不随情報等）を第２端末２０に向けて転送するか否かの確認を行う。
【０２８７】
ここで、取得情報を第２端末２０へと転送する場合、医師は、例えば、表示部１５に表示中の機能一覧の中から他の情報端末装置との間で画像転送動作を実行するためのアプリケーションを選択指示する操作を行う。
【０２８８】
第１端末１０から第２端末２０へとの情報転送を行うことが確認された場合には、次のステップＳ２３５の処理に進む。また、第１端末１０から第２端末２０への情報転送を行わない場合には、ステップＳ２３６の処理に進む。
【０２８９】
ステップＳ２３５において、画像処理制御部２１は、第２端末２０へとオーダー情報等を送信する。
【０２９０】
ここで行われるオーダー情報送信処理は、上述の第２端末２０におけるオーダー情報取得処理（図１１のステップＳ１３４の処理参照）を受けて行われる処理である。
【０２９１】
当該第１端末１０からのオーダー情報送信処理の実行中に、第２端末２０が送信モードにあると、当該第２端末２０は、第１端末１０からのオーダー情報を受信し得る。
【０２９２】
次に、ステップＳ２３６において、画像処理制御部２１は、戻る指示信号が発生したか否かの確認を行う。ここで、戻る指示信号が確認された場合には、上述のステップＳ２０１の処理に戻り、以降の処理を繰り返す。また、戻る指示信号が確認されない場合には、上述のステップＳ２３２の処理に戻り、以降の処理を繰り返す。
【０２９３】
次に、本実施形態の医療支援システム１におけるファイルサーバー３０の作用を説明する。図１３は、本実施形態の医療支援システムにおけるファイルサーバーの作用を示すフローチャートである。
【０２９４】
まず、ファイルサーバー３０は起動状態にあり、他の機器からのアクセスを待機する待機状態にあるものとする。この状態にあるとき、図１３のステップＳ３０１において、制御部３１は、通信部３５を介して外部情報端末装置（１０，２０）からのアクセスが有るか否かの確認を行う。ここで、外部情報端末装置（１０，２０）からのアクセスが確認された場合には、次のステップＳ３０２の処理に進む。また、外部情報端末装置（１０，２０）以外からのアクセスが確認された場合には、ステップＳ３２１の処理に進む。
【０２９５】
ステップＳ３０２において、制御部３１は、通信部３５を介してのアクセスが第１端末１０からのアクセスであるか否かの確認を行う。ここで、第１端末１０からのアクセスが確認された場合には、次のステップＳ３０３の処理に進む。また、第１端末１０以外（即ち第２端末２０）からのアクセスが確認された場合には、ステップＳ３３１の処理に進む。
【０２９６】
ステップＳ３０３において、制御部３１は、通信部３５を介して第１端末１０からの指示信号を監視し、患者情報が要求されたか否かの確認を行う。ここで、第１端末１０から患者情報が要求された場合には、次のステップＳ３０４の処理に進む。また、第１端末１０からの指示信号が患者情報の要求ではない場合には、ステップＳ３１２の処理に進む。
【０２９７】
ステップＳ３１２において、制御部３１は、所定のログイン手続き処理を実行する。これに応じて、第１端末１０は所定のログイン手続き処理を行う。これにより、当該ファイルサーバー３０へのログインが完了すると（ログインＯＫの場合）、その他の情報表示処理などが実行される。
【０２９８】
なお、図１３においては図示を省略しているが、ここで、第１端末１０がファイルサーバー３０にログインできない場合には、当該ファイルサーバー３０は、以降の処理をキャンセルして、上述のステップＳ３０１の処理に戻り、待機状態となる。
【０２９９】
続いて、ステップＳ３１３において、制御部３１は、通信部３５を介して第１端末１０からの指示信号を監視し、戻る指示信号が発生したか否かの確認を行う。ここで、戻る指示信号が確認された場合には、上述のステップＳ３０１の処理に戻り、以降の処理を繰り返す。また、戻る指示信号が確認されない場合には、上述のステップＳ３１２の処理に戻り、以降の処理を繰り返す。
【０３００】
上述のステップＳ３０３の処理にて、第１端末１０からの要求が患者情報である場合にステップＳ３０４の処理に進むと、このステップＳ３０４において、制御部３１は、所定のログイン手続き処理を実行する（上記ステップＳ３１２と同様の処理）。これに応じて、第１端末１０は所定のログイン手続き処理を行う。これにより、当該ファイルサーバー３０へのログインが完了すると（ログインＯＫの場合）、制御部３１は、上述のステップＳ３０３の処理にて要求されている患者情報を第１端末１０へと転送する。これを受けて、第１端末１０は表示部１５に当該患者情報を表示する。
【０３０１】
なお、ここでも、図示を省略しているが、第１端末１０がファイルサーバー３０にログインできない場合には、当該ファイルサーバー３０は、以降の処理をキャンセルして、上述のステップＳ３０１の処理に戻り、待機状態となるのは、上述のステップＳ３１２の処理と同様である。
【０３０２】
続いて、ステップＳ３０５において、制御部３１は、通信部３５を介して第１端末１０からの要求で、対象患者の画像データ（患者画像という；具体的には例えば患者の顔の特徴情報を含む画像データ）の要求指示があるか否かの確認を行う。この場合において、第１端末１０が要求する患者画像データは、患者本人を特定するための情報として用いるためである。第１端末１０は、上述のステップＳ３０３の処理で取得した患者情報に加えて、後述のステップＳ３０６の処理にて取得する患者の顔特徴情報等を、後述するように第２端末２０へと転送する。これにより、これらの情報は、これらを受けた第２端末２０による医療用参照画像の撮影時のガイド情報となる。
【０３０３】
ここで、第１端末１０から患者画像の要求があった場合には、次のステップＳ３０６の処理に進む。また、第１端末１０から患者画像の要求がない場合には、ステップＳ３０７の処理に進む。
【０３０４】
続いて、ステップＳ３０６において、制御部３１は、画像データベース３２，患者情報データベース３４を検索し、要求された対象患者の患者画像を検索し、その検索結果に基く患者画像データを第１端末１０へと送信する。その後、ステップＳ３０７の処理に進む。
【０３０５】
ステップＳ３０７において、制御部３１は、通信部３５を介して第１端末１０からの指示信号を監視し、医療用参照画像（見守り画像）の登録操作信号があるか否かの確認を行う。この場合において行われる医療用参照画像（見守り画像）の登録操作は、医師が第１端末１０を操作してファイルサーバー３０へ対象患者の医療用参照画像を送信し記録する際の動作に対応する。
【０３０６】
ここで、医療用参照画像（見守り画像）の登録操作信号が確認された場合には、次のステップＳ３０８の処理に進む。また、同登録操作信号が確認されない場合には、ステップＳ３０９の処理に進む。
【０３０７】
ステップＳ３０８において、制御部３１は、第１端末１０から転送されてきた患者画像データを、当該画像データに付随する医療メタデータに基づいて、患者情報データベース３４内の対応する患者情報ファイルに関連付けた上で、画像データベース３２に記録する。
【０３０８】
次に、ステップＳ３０９において、制御部３１は、通信部３５を介して第１端末１０からの指示信号を監視し、撮影条件情報を取得する操作指示信号があるか否かの確認を行う。
【０３０９】
この場合において、撮影条件情報とは、対象患者の患者情報（ステップＳ３０４において表示中の患者情報）に含まれる情報であって、その患者の症状，病状，患部等に応じて取得された一連の画像データを取得する際の撮影条件（例えば、撮影アングル，撮影領域，撮像装置の設定情報（露出，焦点距離，ホワイトバランス，輝度，コントラスト，明度等の各種設定情報）に関する情報である。この撮影情報を取得することによって、撮影毎の設定を略同一なものとすることができ、よって、同じ撮影対象（被写体）に対して常に類似の画像を取得することができるようになる。
【０３１０】
ここで、撮影条件情報取得指示信号が確認された場合には、次のステップＳ３１０の処理に進む。また、撮影条件情報取得指示信号が確認されない場合は、ステップＳ３１１の処理に進む。
【０３１１】
ステップＳ３１０において、制御部３１は、第１端末１０からの要求を鑑みて対応する撮影条件情報を送信する。
【０３１２】
この場合において、ファイルサーバー３０から第１端末１０へと送信される撮影条件情報は、対象患者の症状，病状，患部等に応じた所定の撮影条件や、第１端末１０の撮像部１１に対応する各種設定等をまとめたデータファイルである。そのために、ファイルサーバー３０は、アクセスしてきた第１端末１０や、同第１端末１０と関連する第２端末２０の各撮像部１１に関する仕様情報や、対象としている患者情報等を考慮して適切な撮影条件情報を送信する。ここで、第２端末２０の仕様情報は、後述するステップＳ３３２の処理にて、取得される情報（撮像仕様情報）である。つまり、本ファイルサーバー３０は、当該ファイルサーバー３０にアクセスしてくる複数の情報端末装置（１０，２０）のそれぞれの撮像仕様情報等も蓄積保持しているものとしている。その後、ステップＳ３１１の処理に進む。
【０３１３】
ステップＳ３１１において、制御部３１は、通信部３５を介して第１端末１０からの指示信号を監視し、戻る指示信号が発生したか否かの確認を行う。ここで、戻る指示信号が確認された場合には、上述のステップＳ３０１の処理に戻り、以降の処理を繰り返す。また、戻る指示信号が確認されない場合には、上述のステップＳ３０４の処理に戻り、以降の処理を繰り返す。
【０３１４】
一方、上述のステップＳ３０２において、第１端末１０以外の端末（以下、第２端末２０とする）からのアクセスが確認された場合にステップＳ３３１の処理に進むと、このステップＳ３３１において、制御部３１は、所定のログイン手続き処理を実行する（上記ステップＳ３０４，ステップＳ３１２と各同様の処理）。これに応じて、第１端末１０は所定のログイン手続き処理を行う。これにより、当該ファイルサーバー３０へのログインが完了すると（ログインＯＫの場合）、制御部３１は、第２端末２０から転送されてくる医療用参照画像（見守り画像）を取得する処理を実行する。
【０３１５】
なお、ここでも、図示を省略しているが、第２端末２０がファイルサーバー３０にログインできない場合には、当該ファイルサーバー３０は、以降の処理をキャンセルして、上述のステップＳ３０１の処理に戻り、待機状態となるのは、上述のステップＳ３０４，ステップＳ３１２の各処理と同様である。
【０３１６】
ステップＳ３３２において、制御部３１は、第２端末２０から撮像部１１の仕様情報を取得する。この場合において、第２端末２０の撮像部１１の仕様情報（以下、撮像仕様情報という）とは、例えば、当該撮像部１１において設定し得るシャッター速度や絞り値等の設定値や、光学系の焦点距離情報（ズーム範囲），許容撮影距離範囲（最短撮影距離）等、撮像機能の性能を示す情報等である。この撮像仕様情報をサーバー３０が有していることで、第２端末２０を用いて患者画像を取得する場合の適切な撮影条件を設定することができる。
【０３１７】
次いで、ステップＳ３３３において、制御部３１は、上述のステップＳ３３１の処理にて第２端末２０から転送されてきた医療用参照画像（見守り画像）を、当該画像データに付随する医療メタデータに基づいて、患者情報データベース３４内の対応する患者情報ファイルに関連付けた上で、画像データベース３２に記録する。
【０３１８】
次に、ステップＳ３３４において、制御部３１は、今回記録された医療用参照画像（ステップＳ３３１で取得しステップＳ３３３で画像データベース３２に記録された画像データ）について、同一患者の前回記録されている医療用参照画像（患者画像データ）とを比較する処理を行う。この画像比較処理は、例えば、後述するステップＳ３２４〜ステップＳ３２５にて作成される画像変化パターンモデル情報を参照して行われる。
【０３１９】
続いて、ステップＳ３３５において、制御部３１は、上述のステップＳ３３４の処理における画像比較処理の結果、異常兆候が見られるか否かの判定処理を行う。ここで、異常兆候が見られると判定された場合には、次のステップＳ３３６の処理に進む。また、異常兆候が見られない場合には、ステップＳ３０１の処理に戻り、以降の処理を繰り返す。
【０３２０】
ステップＳ３３６において、制御部３１は、通信部３５を介して第１端末１０にアクセスして、当該第１端末１０に対し、今回判定された異常兆候情報を送信する。その後、ステップＳ３０１の処理に戻り、以降の処理を繰り返す。
【０３２１】
他方、上述のステップＳ３０１の処理にて、外部情報端末装置（１０，２０）以外からのアクセスが確認されて、ステップＳ３２１の処理に進むと、このステップＳ３２１において、制御部３１は、内部端末装置（不図示；例えば病院診察室等に設置のＰＣ等のいわゆる院内端末）からのアクセスか否かの確認を行う。ここで、内部端末装置からのアクセスである場合には、次のステップＳ３２２の処理に進む。また、内部端末装置からのアクセスではない場合には、ステップＳ３２３の処理に進む。
【０３２２】
ステップＳ３２２において、制御部３１は、所定のログイン手続き処理を実行する（上記ステップＳ３０４，ステップＳ３１２，ステップＳ３３１と各同様の処理）。これに応じて、内部端末装置（不図示）は所定のログイン手続き処理を行う。これにより、当該ファイルサーバー３０へのログインが完了すると（ログインＯＫの場合）、制御部３１は、内部端末装置からの要求に応じて所定の情報を内部端末装置に転送する。これを受けて、内部端末装置は表示部（不図示）に当該所定の情報を表示する。また、内部端末装置からの情報入力を受けて情報記録処理を行う（例えば電子カルテの更新入力等）。その後、ステップＳ３２３の処理に進む。
【０３２３】
なお、ここでも、図示を省略しているが、内部端末装置がファイルサーバー３０にログインできない場合には、当該ファイルサーバー３０は、以降の処理をキャンセルして、上述のステップＳ３０１の処理に戻り、待機状態となるのは、上述のステップＳ３０４，ステップＳ３１２，ステップＳ３３１の各処理と同様である。
【０３２４】
ステップＳ３２３において、制御部３１は、内部端末装置からの操作指示を受けて、情報端末装置（１０，２０）等の登録設定処理を行う。その後、ステップＳ３０１の処理に戻り、以降の処理を繰り返す。
【０３２５】
上述のステップＳ３２１の処理にて、内部端末装置からのアクセスがなくステップＳ３２４の処理に進むと、このステップＳ３２４及び次のステップＳ３２５において、制御部３１は、その他の処理ステップを実行する。
【０３２６】
例えば、ステップＳ３２４及びステップＳ３２５の処理として例示している処理は、次のようなものである。
【０３２７】
即ち、まず、ステップＳ３２４にて、制御部３１は、画像データベース３２に記録された対象患者の患者画像データ（医療用参照画像，見守り画像）について、最新の画像データと前回の画像データとを比較処理した際に、当該画像に含まれる対象物の変化の具合と、それらの画像に基づいて医師が行った診察結果（対象患者の電子カルテ情報を参照する）とによって、深層学習（ディープラーニング；deep learning）を行う。
【０３２８】
次のステップＳ３２５において、制御部３１は、上述のステップＳ３２４の処理にて行った深層学習の結果に基づいて画像変化パターンモデル情報を作成する。そして、この画像変化パターンモデル情報を、画像データベース３２等に記録蓄積する。その後、ステップＳ３０１の処理に戻り、以降の処理を繰り返す。
【０３２９】
こうして作成され記録蓄積された画像変化パターンモデル情報は、上述のステップＳ３３４の処理などにおける画像比較処理などにおいて利用される。
【０３３０】
以上説明したように上記一実施形態によれば、ネットワーク４０に接続され患者情報データベース３４を有するファイルサーバー３０と、ネットワーク４０を介してファイルサーバー３０との間で通信する情報端末装置（第１端末１０，第２端末２０）とによって、患者情報を共有して医療業務を支援する医療支援システム１を構成している。
【０３３１】
この医療支援システム１においては、医師が情報端末装置（第１端末１０）を用いて所定のオーダーをファイルサーバー３０に伝達すると、当該ファイルサーバー３０のオーダー情報作成部３１ｂは、医師のオーダーに基づくオーダー情報を作成する。このオーダー情報に基づいて、ファイルサーバー３０の撮影条件情報作成部３１ｃは、当該オーダー情報に応じた撮影条件情報を作成する。こうして作成された当該撮影条件情報は、情報端末装置（第２端末２０）に伝達される。
【０３３２】
これを受けて、患者家族等の医療従事者以外の人物が、情報端末装置（第２端末２０）を用いて画像撮影を行って対象患者の画像データを取得する。これにより、取得された画像データは、医療用参照画像として承認され得る。
【０３３３】
このように、医師が出す医療行為的な指示からなるオーダー情報に画像撮影指示が含まれている場合には、本実施形態の医療支援システム１は、その画像撮影指示に適切な撮影条件情報を作成し、これを情報端末装置に伝達するようにしている。
【０３３４】
したがって、これにより、医師は通常の医療行為的な指示のオーダー情報を出すのみで、所望の形態の患者画像（参照用画像）を参照することができる。また、医師のオーダー情報に基づいて、所定の患者画像を撮影する画像撮影者は、高い撮影技術や所定の撮影知識等を有しておらずとも、容易にかつ確実に、医師のオーダー情報に応じた患者画像を取得することができる。
【０３３５】
本実施形態の医療支援システム１は、医療従事者が取得した患者情報としての画像情報のみならず、医療従事者以外の一般の人物（非医療従事者）が取得した画像情報をも患者情報としての医療用画像若しくは医療用参照画像として取り扱うことができ、医療行為の利便性を向上させることができる。
【０３３６】
この場合において、撮影時から基本情報（オーダー情報や撮影時の撮影条件）が画像と紐付けられた形式の画像ファイルを作る事も可能になるので、誤診を防ぐことができると共に、情報の確実さを向上させ、かつ貴重な画像情報の管理が容易になる。また、必要に応じて医療用の基本情報が画像ファイルに付与されるようにしたシステムとすることができる。
【０３３７】
また、情報端末装置においては、患者基本属性情報は、「管理用付帯情報」，「診療用付帯情報」，「診療管理情報」等として、予め取得してあるので、当該情報端末装置を用いた撮影時に、これらの情報を取得画像の付帯情報とすることができる。
【０３３８】
このようにすれば、画像ファイルの生成時に、これらの情報を付帯することができるので、画像データがシステムや特定フォルダから外部に出て、単独の状態になったとしても、付帯するタグ情報を見れば、いつどこで誰の検査結果の画像であるのかを判別できる。
【０３３９】
例えば、オーダー情報に振られるオーダー番号は、検査ＩＤ等に紐付いていることから、一連の検査スタディや特定の疾患／疾病の検査との関連付けが可能となる。
【０３４０】
単なる写真では、患者名等が判らずに、何のための写真なのかも判らないが、これらの付帯情報が画像ファイルに付帯していることで、診療用画像としての有用性が確保される。
【０３４１】
なお、例えば、患者等による主訴の参考とする画像データや、非医療従事者が自己管理する画像データでは、オーダー情報を取得することは必要ない。しかしながら、これらの画像データを通院先の医療施設の電子カルテに載せることを想定したり、診療の参考データとして有用となり得る予定の画像データに対しては、「管理用付帯情報」，「診療用付帯情報」，「診療管理情報」等、付帯情報の書式やデータを、予め情報端末装置に受信しておくということが有効である。
【０３４２】
つまり、本実施形態においては、オーダー情報と書いた部分は、厳密な意味でのオーダーに拘る必要はなく、「管理用付帯情報」，「診療用付帯情報」，「診療管理情報」と呼べるものを含むものとする。そして、本実施形態で説明した情報端末装置では、画像データを医療施設に提出する場合の効率性や画像データの保証性を高めるために、必要とする情報を医療施設（システム）から受け取って、その情報に基づいて画像データの生成を行う仕組みとしているものである。
【０３４３】
なお、上述の一実施形態においては、情報端末装置（１０，２０）の一形態として、撮像機能と通信機能とを備えた一般的な携帯の撮像装置（カメラ）や、スマートフォン，タブレット型ＰＣ等を例に挙げて説明したが、本発明に適用し得る情報端末装置の形態としては、これらの形態に限られるものではない。
【０３４４】
例えば、近年においては、所定の場所（例えば対象患者の自宅や病院等の病室等）にカメラを据え付けて、当該カメラをネットワーク経由で遠隔操作し、所定の時間間隔毎の撮影画像を取得し、取得した撮影画像をネットワーク経由で他の機器に転送し得るように構成することで、撮影する対象患者等の状況を、遠隔地から常時見守ることができるようにしたカメラシステム（いわゆる見守りカメラやウェッブカメラ等と呼ばれるカメラを含むネットワークカメラシステム）が実用化され一般に普及しつつある。この種のカメラシステムを、本発明の情報端末装置として適用することもできる。
【０３４５】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲，明細書及び図面中の動作フローに関して、便宜上「まず、」、「次に、」等を用いて説明したとしても、この順で実施することが必須であることを意味するものではない。また、これらの動作フローを構成する各ステップにおいては、発明の本質に影響しない部分について適宜省略することもできることは言うまでもない。
【０３４６】
また、ここで説明した技術のうち、主にフローチャートで説明した制御や機能は、多くがソフトウエアプログラムにより設定できることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供ができるものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作させるようにすることができ、これによって容易に本実施形態の撮像装置を実現することができる。
【０３４７】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０３４８】
１……医療支援システム
１０……第１端末（情報端末装置）
１１……撮像部
１２……通信部
１３……操作部
１４   タッチパネル
１５……表示部
１６……記録部
１７……姿勢センサ
１８……ＧＰＳ
１９……方位センサ
２０……第２端末（情報端末装置）
２１……画像処理制御部
２１ａ……撮像制御部
２１ｂ……操作判定部
２１ｃ……通信制御部
２１ｄ……表示制御部
２１ｅ……記録制御部
２１ｆ……画像判定部
２１ｇ……撮影時情報付与部
２２……時計部
３０……ファイルサーバー
３１……制御部
３１ａ……患者判定部
３１ｂ……オーダー情報作成部
３１ｃ……撮影条件情報作成部
３２……画像データベース
３３……オーダー情報等データベース
３４……患者情報データベース
３５……通信部
４０……ネットワーク
【図１】
2019109763.tif 000003
【図２】
2019109763.tif 000004
【図３】
2019109763.tif 000005
【図４】
2019109763.tif 000006
【図５】
2019109763.tif 000007
【図６】
2019109763.tif 000008
【図７】
2019109763.tif 000009
【図８】
2019109763.tif 000010
【図９】
2019109763.tif 000011
【図１０】
2019109763.tif 000012
【図１１】
2019109763.tif 000013
【図１２】
2019109763.tif 000014
【図１３】
2019109763.tif 000015
【手続補正書】
【提出日】平成30年12月19日(2018.12.19)
【手続補正２】
【補正対象書類名】明細書
【補正対象項目名】０００１
【補正方法】変更
【補正の内容】
【０００１】
この発明は、患者情報を共有して医療業務を支援する医療支援システムと、この医療支援システムに適用されるファイルサーバー、当該医療支援システムに適用され患者情報のうちの画像データを取り扱う情報端末装置、患者情報としての画像データを取得する患者画像データ取得方法、及び患者画像データ取得プログラムに関するものである。
【手続補正３】
【補正対象書類名】明細書
【補正対象項目名】００１７
【補正方法】変更
【補正の内容】
【００１７】
本発明は、上述した点に鑑みてなされたものであって、その目的とするところは、医療従事者が取得した患者情報としての画像情報のみならず、医療従事者以外の一般の人物（非医療従事者）が取得した画像情報をも患者情報としての医療用画像若しくは医療用参照画像として取り扱うことができ、医療行為の利便性を向上させ得る医療支援システムと、これに適用するファイルサーバー、情報端末装置、当該医療支援システムにおける患者画像データ取得方法、及び患者画像データ取得プログラム、そして、こうした環境下で有効な画像ファイル形式を提供することである。
【手続補正４】
【補正対象書類名】明細書
【補正対象項目名】００１８
【補正方法】変更
【補正の内容】
【００１８】
上記目的を達成するために、本発明の一態様の医療支援システムは、患者情報を共有して医療業務を支援する医療支援システムであって、ネットワークに接続され患者情報データベースを有するファイルサーバーと、上記ネットワークを介して上記ファイルサーバーとの間で通信し、入力されたオーダー情報を上記ファイルサーバーに伝達するオーダー端末装置と、を具備し、上記ファイルサーバーは、上記オーダー端末装置から伝達された上記オーダー情報に基づいて、対応する撮影条件情報を作成し、上記撮影条件情報を上記オーダー情報と共に情報端末装置へ伝達する。
本発明の一態様のファイルサーバーは、患者情報が蓄積された患者情報データベースと、オーダー端末装置からの指示入力を受けてオーダー情報を作成するオーダー情報作成部と、上記オーダー情報に基づいて当該オーダー情報に応じた撮影条件情報を作成する撮影条件作成部と、上記撮影条件情報を上記オーダー情報と共に情報端末装置へ伝達する通信部と、上記情報端末装置から転送された画像データを蓄積する画像データベースと、上記画像データを対応する患者情報に関連付ける患者判定部と、を具備する。
本発明の一態様の患者画像データ取得方法は、患者情報を共有して医療業務を支援する医療支援システムにおける患者情報に含まれる患者画像データ取得方法であって、オーダー情報端末からの指示入力を受けてオーダー情報を作成し、上記オーダー情報に応じた撮影条件情報を作成し、上記撮影条件情報を上記オーダー情報と共に情報端末装置へと伝達し、上記撮影条件情報及び上記オーダー情報に応じた画像データを取得する。
本発明の一態様の患者画像データ取得プログラムは、オーダー情報端末からの指示入力を受けてオーダー情報を作成し、上記オーダー情報に応じた撮影条件情報を作成し、上記撮影条件情報を上記オーダー情報と共に情報端末装置へと伝達し、上記情報端末装置によって上記撮影条件情報及び上記オーダー情報に応じて取得され、当該情報端末装置から転送されてくる画像データであって、上記撮影条件情報及び上記オーダー情報が関連付けされた画像データを受信する手順をコンピュータに実行させる。
【手続補正５】
【補正対象書類名】明細書
【補正対象項目名】００１９
【補正方法】変更
【補正の内容】
【００１９】
本発明の一態様の情報端末装置は、他の情報端末装置との間、若しくはネットワークを介したファイルサーバーとの間で通信し、所定のオーダー情報を含む医療情報及び上記オーダー情報に応じた撮影条件情報を取得する通信部と、上記オーダー情報及び上記撮影条件情報に基づいて画像データを取得する撮像部と、上記オーダー情報を含む医療情報と上記撮影条件情報とを医療メタデータとして、上記撮像部によって取得された画像データに関連付ける撮像制御部と、を具備し、上記撮像制御部は、上記撮像部によって取得された画像データが、上記オーダー情報に応じた画像データであるかどうかのオーダーチェック処理を行なう。
本発明の一態様の患者画像データ取得方法は、所定のオーダー情報を含む医療情報及び上記オーダー情報に応じた撮影条件情報を取得し、上記オーダー情報及び上記撮影条件情報に基づいて画像データを取得し、上記オーダー情報を含む医療情報と上記撮影条件情報とを医療メタデータとして、上記撮像部によって取得された画像データに関連付けを行い、上記取得された画像データが、上記オーダー情報に応じた画像データであるかどうかのオーダーチェック処理を行なう。
本発明の一態様の患者画像データ取得プログラムは、所定のオーダー情報を含む医療情報及び上記オーダー情報に応じた撮影条件情報を取得し、上記オーダー情報及び上記撮影条件情報に基づいて画像データを取得し、上記オーダー情報を含む医療情報と上記撮影条件情報とを医療メタデータとして、上記撮像部によって取得された画像データに関連付けを行い、上記取得された画像データが、上記オーダー情報に応じた画像データであるかどうかのオーダーチェック処理を行なう手順をコンピュータに実行させる。
【手続補正６】
【補正対象書類名】明細書
【補正対象項目名】００２１
【補正方法】変更
【補正の内容】
【００２１】
本発明によれば、医療従事者が取得した患者情報としての画像情報のみならず、医療従事者以外の一般の人物（非医療従事者）が取得した画像情報をも患者情報としての医療用画像若しくは医療用参照画像として取り扱うことができ、医療行為の利便性を向上させ得る医療支援システムと、これに適用するファイルサーバー、情報端末装置、当該医療支援システムにおける患者画像データ取得方法、及び患者画像データ取得プログラム、そして、こうした環境下で有効な画像ファイル形式を提供することができる。
【手続補正７】
【補正対象書類名】特許請求の範囲
【補正対象項目名】全文
【補正方法】変更
【補正の内容】
【特許請求の範囲】
【請求項１】
患者情報を共有して医療業務を支援する医療支援システムであって、
ネットワークに接続され患者情報データベースを有するファイルサーバーと、
上記ネットワークを介して上記ファイルサーバーとの間で通信し、入力されたオーダー情報を上記ファイルサーバーに伝達するオーダー端末装置と、
を具備し、
上記ファイルサーバーは、上記オーダー端末装置から伝達された上記オーダー情報に基づいて、対応する撮影条件情報を作成し、
上記撮影条件情報を上記オーダー情報と共に情報端末装置へ伝達することを特徴とする医療支援システム。
【請求項２】
上記オーダー情報に基づいて作成された上記撮影条件情報には対象物特定情報が含まれることを特徴とする請求項１に記載の医療支援システム。
【請求項３】
上記情報端末装置は、上記ファイルサーバーから伝達された上記撮影条件情報に基づく画像撮影を行って、取得した画像データを上記オーダー情報に関連付けて記録することを特徴とする請求項１に記載の医療支援システム。
【請求項４】
上記情報端末装置は、画像撮影により取得した上記画像データを上記ファイルサーバーへ転送することを特徴とする請求項３に記載の医療支援システム。
【請求項５】
上記ファイルサーバーは、
上記情報端末装置からの指示入力を受けてオーダー情報を作成するオーダー情報作成部と、
上記オーダー情報作成部により作成されたオーダー情報に基づいて、当該オーダー情報に応じた撮影条件情報を作成する撮影条件情報作成部と、
を有し、
上記オーダー情報作成部からのオーダー情報に基づいて、当該オーダー情報の対象とする患者の患者情報を上記患者情報データベースを参照し、上記対象患者の患者情報の中から過去のオーダー情報を検索し、今回のオーダー情報に類似する過去のオーダー情報があった場合には、その過去のオーダー情報に含まれる画像撮影に関する撮影条件情報を読み出して、上記撮影条件情報作成部に伝達し、これを受けて上記撮影条件情報作成部は、今回のオーダー情報に対応する新たな撮影条件情報を作成することを特徴とする請求項１〜請求項３のいずれか一つに記載の医療支援システム。
【請求項６】
上記ファイルサーバーは、さらに、画像データベースを有し、
上記画像データベースは、上記情報端末装置によって取得された複数の画像データを蓄積保存することを特徴とする請求項１〜請求項５のいずれか一つに記載の医療支援システム。
【請求項７】
上記画像データベースに蓄積された複数の画像データのそれぞれは、上記患者情報データベースに蓄積された複数の患者情報のうちの対応する患者情報に関連付けされていることを特徴とする請求項６に記載の医療支援システム。
【請求項８】
上記画像データベースは、所定の撮影対象毎に予め決められた撮影条件情報に基づいて撮影された複数のサンプル画像を、さらに蓄積保存しており、
上記撮影条件情報作成部は、上記画像データベースの上記複数のサンプル画像を参照し、上記オーダー情報作成部で作成されたオーダー情報に対応する撮影条件情報を作成することを特徴とする請求項６に記載の医療支援システム。
【請求項９】
患者情報が蓄積された患者情報データベースと、
オーダー端末装置からの指示入力を受けてオーダー情報を作成するオーダー情報作成部と、
上記オーダー情報に基づいて当該オーダー情報に応じた撮影条件情報を作成する撮影条件作成部と、
上記撮影条件情報を上記オーダー情報と共に情報端末装置へ伝達する通信部と、
上記情報端末装置から転送された画像データを蓄積する画像データベースと、
上記画像データを対応する患者情報に関連付ける患者判定部と、
を具備することを特徴とするファイルサーバー。
【請求項１０】
患者情報を共有して医療業務を支援する医療支援システムにおける患者情報に含まれる患者画像データ取得方法であって、
オーダー情報端末からの指示入力を受けてオーダー情報を作成し、
上記オーダー情報に応じた撮影条件情報を作成し、
上記撮影条件情報を上記オーダー情報と共に情報端末装置へと伝達し、
上記撮影条件情報及び上記オーダー情報に応じた画像データを取得することを特徴とする患者画像データ取得方法。
【請求項１１】
オーダー情報端末からの指示入力を受けてオーダー情報を作成し、
上記オーダー情報に応じた撮影条件情報を作成し、
上記撮影条件情報を上記オーダー情報と共に情報端末装置へと伝達し、
上記情報端末装置によって上記撮影条件情報及び上記オーダー情報に応じて取得され、当該情報端末装置から転送されてくる画像データであって、上記撮影条件情報及び上記オーダー情報が関連付けされた画像データを受信する
手順をコンピュータに実行させる患者画像データ取得プログラム。
【請求項１２】
他の情報端末装置との間、若しくはネットワークを介したファイルサーバーとの間で通信し、所定のオーダー情報を含む医療情報及び上記オーダー情報に応じた撮影条件情報を取得する通信部と、
上記オーダー情報及び上記撮影条件情報に基づいて画像データを取得する撮像部と、
上記オーダー情報を含む医療情報と上記撮影条件情報とを医療メタデータとして、上記撮像部によって取得された画像データに関連付ける撮像制御部と、
を具備し、
上記撮像制御部は、上記撮像部によって取得された画像データが、上記オーダー情報に応じた画像データであるかどうかのオーダーチェック処理を行なうことを特徴とする情報端末装置。
【請求項１３】
上記撮像制御部は、撮像動作の実行後、取得された上記画像データに上記医療メタデータを関連付ける際に上記オーダーチェック処理を行い、
上記オーダーチェック処理の結果を上記医療メタデータに付加することを特徴とする請求項１２に記載の情報端末装置。
【請求項１４】
上記画像データを記録する記録部を、さらに具備し、
上記撮像制御部は、上記記録部に記録済みの画像データに基づいて上記オーダーチェック処理を行ない、当該オーダーチェック処理の結果を上記医療メタデータに付加して記録することを特徴とする請求項１２に記載の情報端末装置。
【請求項１５】
画像データに基く画像及び各種の設定情報の表示を行う表示部を、さらに具備し、
上記撮像制御部は、上記オーダー情報及び上記撮影条件情報に従って行う画像撮影時に、上記オーダー情報及び上記撮影条件情報を満たすことができない場合には、その旨のガイド情報若しくは警告情報を上記表示部に表示することを特徴とする請求項１２に記載の情報端末装置。
【請求項１６】
上記オーダー情報及び上記撮影条件情報を満たすことができない場合とは、上記オーダー情報に対応する撮影条件情報に基づく撮影ができない場合であることを特徴とする請求項１３に記載の情報端末装置。
【請求項１７】
上記オーダー情報及び上記撮影条件情報を満たすことができない場合とは、診療管理情報との整合性がとれない場合であることを特徴とする請求項１３に記載の情報端末装置。
【請求項１８】
上記オーダー情報及び上記撮影条件情報を満たすことができるか否かを判定する上記オーダーチェック処理は、
撮影対象人物や撮影対象部位が異なる場合、
想定していた機材やアクセサリが使用されない場合、
指定の構図がとれない場合、
撮影パラメータが設定できない場合、
露光量不足の場合、
適切なピント合わせができない場合、
手ぶれが生じた場合、
撮影の順番が規定された順番ではない場合、
指定の撮影枚数に過不足が生じた場合、
などを想定し、各条件に対応する撮影結果について数値化し、その数値を所定の判断基準と対比させて判定することを特徴とする請求項１３に記載の情報端末装置。
【請求項１９】
上記オーダー情報及び上記撮影条件情報を満たすことができるか否かを判定する上記オーダーチェック処理は、
音声やその他意思表示入力による患者確認の良否、撮影者情報が含まれているかどうかについて判定基準とすることを特徴とする請求項１３に記載の情報端末装置。
【請求項２０】
上記オーダー情報及び上記撮影条件情報を満たすことができるか否かを判定する上記オーダーチェック処理は、
上記オーダー情報及び上記撮影条件情報に基づく撮影を実行する前、若しくは上記オーダー情報及び上記撮影条件情報に基づく撮影を実行した後に行うことを特徴とする請求項１３に記載の情報端末装置。
【請求項２１】
所定のオーダー情報を含む医療情報及び上記オーダー情報に応じた撮影条件情報を取得し、
上記オーダー情報及び上記撮影条件情報に基づいて画像データを取得し、
上記オーダー情報を含む医療情報と上記撮影条件情報とを医療メタデータとして、上記撮像部によって取得された画像データに関連付けを行い、
上記取得された画像データが、上記オーダー情報に応じた画像データであるかどうかのオーダーチェック処理を行なうことを特徴とする患者画像データ取得方法。
【請求項２２】
所定のオーダー情報を含む医療情報及び上記オーダー情報に応じた撮影条件情報を取得し、
上記オーダー情報及び上記撮影条件情報に基づいて画像データを取得し、
上記オーダー情報を含む医療情報と上記撮影条件情報とを医療メタデータとして、上記撮像部によって取得された画像データに関連付けを行い、
上記取得された画像データが、上記オーダー情報に応じた画像データであるかどうかのオーダーチェック処理を行なう
手順をコンピュータに実行させる患者画像データ取得プログラム。
【請求項２３】
患者情報を共有して医療業務を支援する医療支援システムにおける患者情報に含まれる患者画像データ取得方法であって、
医師のオーダーを受けてオーダー情報を作成し、
上記オーダー情報に応じた撮影条件情報を作成し、
上記撮影条件情報を情報端末装置に伝達し、
上記撮影条件情報を受けて上記情報端末装置は対応する画像データを取得することを特徴とする患者画像データ取得方法。
【手続補正８】
【補正対象書類名】図面
【補正対象項目名】図１１
【補正方法】変更
【補正の内容】
【図１１】
2019109763.tif 000016
【手続補正書】
【提出日】平成31年4月8日(2019.4.8)
【手続補正２】
【補正対象書類名】明細書
【補正対象項目名】０００１
【補正方法】変更
【補正の内容】
【０００１】
この発明は、患者情報を共有して医療業務を支援する医療支援システムと、この医療支援システムに適用されるファイルサーバー、患者情報としての画像データを取得する患者画像データ取得方法、及び患者画像データ取得プログラムに関するものである。
【手続補正３】
【補正対象書類名】明細書
【補正対象項目名】００１７
【補正方法】変更
【補正の内容】
【００１７】
本発明は、上述した点に鑑みてなされたものであって、その目的とするところは、医療従事者が取得した患者情報としての画像情報のみならず、医療従事者以外の一般の人物（非医療従事者）が取得した画像情報をも患者情報としての医療用画像若しくは医療用参照画像として取り扱うことができ、医療行為の利便性を向上させ得る医療支援システムと、これに適用するファイルサーバー、当該医療支援システムにおける患者画像データ取得方法、及び患者画像データ取得プログラム、そして、こうした環境下で有効な画像ファイル形式を提供することである。
【手続補正４】
【補正対象書類名】明細書
【補正対象項目名】００１８
【補正方法】変更
【補正の内容】
【００１８】
上記目的を達成するために、本発明の一態様の医療支援システムは、患者情報を共有して医療業務を支援する医療支援システムであって、ネットワークに接続され患者情報データベースを有し、所定の外部情報端末装置との間で通信可能とするファイルサーバーと、上記ネットワークを介して上記ファイルサーバーとの間で通信し、入力されたオーダー情報を上記ファイルサーバーに伝達するオーダー端末装置と、を具備し、上記ファイルサーバーは、上記外部情報端末装置との通信により当該外部情報端末装置に係る固有の仕様情報を取得し、オーダー端末装置からの指示入力を受けてオーダー情報を作成し、上記仕様情報と上記オーダー情報とに基づいて、対応する撮影条件情報を作成し、上記撮影条件情報を上記オーダー情報と共に上記外部情報端末装置へ伝達し、上記外部情報端末装置から、上記撮影条件情報及び上記オーダー情報に応じた画像データを取得する。
本発明の一態様のファイルサーバーは、患者情報が蓄積された患者情報データベースと、外部情報端末装置との通信により当該外部情報端末装置に係る固有の仕様情報を取得する仕様情報取得部と、オーダー端末装置からの指示入力を受けてオーダー情報を作成するオーダー情報作成部と、上記仕様情報と上記オーダー情報とに基づいて、対応する撮影条件情報を作成する撮影条件作成部と、上記撮影条件情報を上記オーダー情報と共に上記外部情報端末装置へ伝達する通信部と、上記外部情報端末装置から、上記撮影条件情報及び上記オーダー情報に応じた画像データを取得し、転送された画像データを蓄積する画像データベースと、上記画像データを対応する患者情報に関連付ける患者判定部と、を具備する。
【手続補正５】
【補正対象書類名】明細書
【補正対象項目名】００１９
【補正方法】変更
【補正の内容】
【００１９】
本発明の一態様の患者画像データ取得方法は、ネットワークに接続され患者情報データベースを有し、所定の外部情報端末装置との間で通信可能とするファイルサーバーと、上記ネットワークを介して上記ファイルサーバーとの間で通信し、入力されたオーダー情報を上記ファイルサーバーに伝達するオーダー端末装置と、を具備し、患者情報を共有して医療業務を支援する医療支援システムにおける患者情報に含まれる患者画像データ取得方法であって、上記ファイルサーバーは、上記外部情報端末装置との通信により当該外部情報端末装置に係る固有の仕様情報を取得し、オーダー端末装置からの指示入力を受けてオーダー情報を作成し、上記仕様情報と上記オーダー情報とに基づいて、対応する撮影条件情報を作成し、上記撮影条件情報を上記オーダー情報と共に上記外部情報端末装置へ伝達し、上記外部情報端末装置から、上記撮影条件情報及び上記オーダー情報に応じた画像データを取得する。
本発明の一態様の患者画像データ取得プログラムは、ネットワークに接続され患者情報データベースを有し、所定の外部情報端末装置との間で通信可能とするファイルサーバーと、上記ネットワークを介して上記ファイルサーバーとの間で通信し、入力されたオーダー情報を上記ファイルサーバーに伝達するオーダー端末装置と、を具備し、患者情報を共有して医療業務を支援する医療支援システムにおける患者情報に含まれる患者画像データを取得するためのプログラムであって、上記ファイルサーバーが、上記外部情報端末装置との通信により当該外部情報端末装置に係る固有の仕様情報を取得し、オーダー端末装置からの指示入力を受けてオーダー情報を作成し、上記仕様情報と上記オーダー情報とに基づいて、対応する撮影条件情報を作成し、上記撮影条件情報を上記オーダー情報と共に上記外部情報端末装置へ伝達し、上記外部情報端末装置から、上記撮影条件情報及び上記オーダー情報に応じた画像データを取得する。
【手続補正６】
【補正対象書類名】明細書
【補正対象項目名】００２０
【補正方法】変更
【補正の内容】
【００２０】
本発明の他の態様の医療支援システムは、患者情報を共有して医療業務を支援する医療支援システムであって、ネットワークに接続され患者情報データベースを有し、所定の外部情報端末装置との間で通信可能とするファイルサーバーと、上記ネットワークを介して上記ファイルサーバーとの間で通信し、入力されたオーダー情報を上記ファイルサーバーに伝達するオーダー端末装置と、上記ファイルサーバーとの間で通信可能とする外部情報端末装置と、を具備し、上記ファイルサーバーは、上記外部情報端末装置との通信により当該外部情報端末装置に係る固有の仕様情報を取得し、オーダー端末装置からの指示入力を受けてオーダー情報を作成し、上記仕様情報と上記オーダー情報とに基づいて、対応する撮影条件情報を作成し、上記撮影条件情報を上記オーダー情報と共に上記外部情報端末装置へ伝達し、上記外部情報端末装置から、上記撮影条件情報及び上記オーダー情報に応じた画像データを取得する。
【手続補正７】
【補正対象書類名】明細書
【補正対象項目名】００２１
【補正方法】変更
【補正の内容】
【００２１】
本発明によれば、医療従事者が取得した患者情報としての画像情報のみならず、医療従事者以外の一般の人物（非医療従事者）が取得した画像情報をも患者情報としての医療用画像若しくは医療用参照画像として取り扱うことができ、医療行為の利便性を向上させ得る医療支援システムと、これに適用するファイルサーバー、当該医療支援システムにおける患者画像データ取得方法、及び患者画像データ取得プログラム、そして、こうした環境下で有効な画像ファイル形式を提供することができる。
【手続補正８】
【補正対象書類名】特許請求の範囲
【補正対象項目名】全文
【補正方法】変更
【補正の内容】
【特許請求の範囲】
【請求項１】
患者情報を共有して医療業務を支援する医療支援システムであって、
ネットワークに接続され患者情報データベースを有し、所定の外部情報端末装置との間で通信可能とするファイルサーバーと、
上記ネットワークを介して上記ファイルサーバーとの間で通信し、入力されたオーダー情報を上記ファイルサーバーに伝達するオーダー端末装置と、
を具備し、
上記ファイルサーバーは、
上記外部情報端末装置との通信により当該外部情報端末装置に係る固有の仕様情報を取得し、
オーダー端末装置からの指示入力を受けてオーダー情報を作成し、
上記仕様情報と上記オーダー情報とに基づいて、対応する撮影条件情報を作成し、
上記撮影条件情報を上記オーダー情報と共に上記外部情報端末装置へ伝達し、
上記外部情報端末装置から、上記撮影条件情報及び上記オーダー情報に応じた画像データを取得する
ことを特徴とする医療支援システム。
【請求項２】
上記オーダー情報に基づいて作成された上記撮影条件情報には対象物特定情報が含まれることを特徴とする請求項１に記載の医療支援システム。
【請求項３】
上記外部情報端末装置は、上記ファイルサーバーから伝達された上記撮影条件情報に基づく画像撮影を行って、取得した画像データを上記オーダー情報に関連付けて記録することを特徴とする請求項１に記載の医療支援システム。
【請求項４】
上記外部情報端末装置は、画像撮影により取得した上記画像データを上記ファイルサーバーへ転送することを特徴とする請求項３に記載の医療支援システム。
【請求項５】
上記ファイルサーバーは、
上記オーダー端末装置からの指示入力を受けてオーダー情報を作成するオーダー情報作成部と、
上記オーダー情報作成部により作成されたオーダー情報に基づいて、当該オーダー情報に応じた撮影条件情報を作成する撮影条件情報作成部と、
を有し、
上記オーダー情報作成部からのオーダー情報に基づいて、当該オーダー情報の対象とする患者の患者情報を上記患者情報データベースを参照し、上記対象患者の患者情報の中から過去のオーダー情報を検索し、今回のオーダー情報に類似する過去のオーダー情報があった場合には、その過去のオーダー情報に含まれる画像撮影に関する撮影条件情報を読み出して、上記撮影条件情報作成部に伝達し、これを受けて上記撮影条件情報作成部は、今回のオーダー情報に対応する新たな撮影条件情報を作成することを特徴とする請求項１〜請求項３のいずれか一つに記載の医療支援システム。
【請求項６】
上記ファイルサーバーは、さらに、画像データベースを有し、
上記画像データベースは、上記情報端末装置によって取得された複数の画像データを蓄積保存することを特徴とする請求項１〜請求項５のいずれか一つに記載の医療支援システム。
【請求項７】
上記画像データベースに蓄積された複数の画像データのそれぞれは、上記患者情報データベースに蓄積された複数の患者情報のうちの対応する患者情報に関連付けされていることを特徴とする請求項６に記載の医療支援システム。
【請求項８】
上記画像データベースは、所定の撮影対象毎に予め決められた撮影条件情報に基づいて撮影された複数のサンプル画像を、さらに蓄積保存しており、
上記撮影条件情報作成部は、上記画像データベースの上記複数のサンプル画像を参照し、上記オーダー情報作成部で作成されたオーダー情報に対応する撮影条件情報を作成することを特徴とする請求項６に記載の医療支援システム。
【請求項９】
患者情報が蓄積された患者情報データベースと、
外部情報端末装置との通信により当該外部情報端末装置に係る固有の仕様情報を取得する仕様情報取得部と、
オーダー端末装置からの指示入力を受けてオーダー情報を作成するオーダー情報作成部と、
上記仕様情報と上記オーダー情報とに基づいて、対応する撮影条件情報を作成する撮影条件作成部と、
上記撮影条件情報を上記オーダー情報と共に上記外部情報端末装置へ伝達する通信部と、
上記外部情報端末装置から、上記撮影条件情報及び上記オーダー情報に応じた画像データを取得し、転送された画像データを蓄積する画像データベースと、
上記画像データを対応する患者情報に関連付ける患者判定部と、
を具備することを特徴とするファイルサーバー。
【請求項１０】
ネットワークに接続され患者情報データベースを有し、所定の外部情報端末装置との間で通信可能とするファイルサーバーと、上記ネットワークを介して上記ファイルサーバーとの間で通信し、入力されたオーダー情報を上記ファイルサーバーに伝達するオーダー端末装置と、を具備し、患者情報を共有して医療業務を支援する医療支援システムにおける患者情報に含まれる患者画像データ取得方法であって、
上記ファイルサーバーは、
上記外部情報端末装置との通信により当該外部情報端末装置に係る固有の仕様情報を取得し、
オーダー端末装置からの指示入力を受けてオーダー情報を作成し、
上記仕様情報と上記オーダー情報とに基づいて、対応する撮影条件情報を作成し、
上記撮影条件情報を上記オーダー情報と共に上記外部情報端末装置へ伝達し、
上記外部情報端末装置から、上記撮影条件情報及び上記オーダー情報に応じた画像データを取得する
ことを特徴とする患者画像データ取得方法。
【請求項１１】
ネットワークに接続され患者情報データベースを有し、所定の外部情報端末装置との間で通信可能とするファイルサーバーと、上記ネットワークを介して上記ファイルサーバーとの間で通信し、入力されたオーダー情報を上記ファイルサーバーに伝達するオーダー端末装置と、を具備し、患者情報を共有して医療業務を支援する医療支援システムにおける患者情報に含まれる患者画像データを取得するためのプログラムであって、
上記ファイルサーバーが、
上記外部情報端末装置との通信により当該外部情報端末装置に係る固有の仕様情報を取得し、
オーダー端末装置からの指示入力を受けてオーダー情報を作成し、
上記仕様情報と上記オーダー情報とに基づいて、対応する撮影条件情報を作成し、
上記撮影条件情報を上記オーダー情報と共に上記外部情報端末装置へ伝達し、
上記外部情報端末装置から、上記撮影条件情報及び上記オーダー情報に応じた画像データを取得する
手順をコンピュータに実行させる患者画像データ取得プログラム。
【請求項１２】
患者情報を共有して医療業務を支援する医療支援システムであって、
ネットワークに接続され患者情報データベースを有し、所定の外部情報端末装置との間で通信可能とするファイルサーバーと、
上記ネットワークを介して上記ファイルサーバーとの間で通信し、入力されたオーダー情報を上記ファイルサーバーに伝達するオーダー端末装置と、
上記ファイルサーバーとの間で通信可能とする外部情報端末装置と、
を具備し、
上記ファイルサーバーは、上記外部情報端末装置との通信により当該外部情報端末装置に係る固有の仕様情報を取得し、
オーダー端末装置からの指示入力を受けてオーダー情報を作成し、
上記仕様情報と上記オーダー情報とに基づいて、対応する撮影条件情報を作成し、
上記撮影条件情報を上記オーダー情報と共に上記外部情報端末装置へ伝達し、
上記外部情報端末装置から、上記撮影条件情報及び上記オーダー情報に応じた画像データを取得する
ことを特徴とする医療支援システム。